(57)【特許請求の範囲】
【請求項１】
ユーザ機器（ＵＥ）によって実施されるワイヤレス通信の方法であって、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することと、ここにおいて、前記ＵＥは、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づく物理ダウンリンク共有チャネル（ＰＤＳＣＨ）の両方の同時受信をサポートするように構成される、
を備える、方法。
【請求項２】
共通探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられている、請求項１に記載の方法。
【請求項３】
ＵＥ固有探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられている、請求項１に記載の方法。
【請求項４】
ユーザ機器（ＵＥ）によって実施されるワイヤレス通信の方法であって、
ネットワークから、複数のダウンリンク送信モードのうちの１つを示すダウンリンク送信構成を受信することと、
前記ダウンリンク送信構成に従って前記複数のダウンリンク送信モードのうちの前記１つに基づいてダウンリンク通信を構成することと、
サービスに合う前記複数のダウンリンク送信モードのうちの前記１つに基づいてポイントツーマルチプル（ＰＴＭ）送信を介して前記サービスを受信することと、ここにおいて、前記ＵＥは、同じサブフレーム内のセル無線ネットワーク一時識別子（Ｃ−ＲＮＴＩ）に基づく物理ダウンリンク共有チャネル（ＰＤＳＣＨ）またはグループ無線ネットワーク一時識別子（Ｇ−ＲＮＴＩ）に基づくＰＤＳＣＨのいずれかの受信をサポートするように構成される、
を備える、方法。
【請求項５】
ネットワークに前記ＵＥのダウンリンク送信モード可能性を報告することをさらに備え、ここにおいて、前記報告されたダウンリンク送信モード可能性が、前記複数のダウンリンク送信モードのうちの１つで前記ＰＴＭ送信を構成するために使用される、請求項４に記載の方法。
【請求項６】
前記ダウンリンク送信モード可能性を前記報告することが、
前記ダウンリンク送信モード可能性を前記ネットワークに示すように構成されたアプリケーションサーバ（ＡＳ）に前記ＵＥが最初に接続したとき、前記ＡＳに前記ダウンリンク送信モード可能性を報告することを含む、請求項５に記載の方法。
【請求項７】
前記ダウンリンク送信モード可能性を前記報告することが、
前記ＵＥが前記ＰＴＭ送信を受信するように決定すると、前記基地局に前記ダウンリンク送信モード可能性を報告するために基地局との接続モードに入ることを含み、
ここにおいて、前記ＵＥが、前記ダウンリンク送信モード可能性を報告した後、アイドルモードに入って前記ＰＴＭ送信を受信する、請求項５に記載の方法。
【請求項８】
前記ＵＥは、ＰＴＭ送信用のランクに基づいて、前記ＰＴＭ送信を介して前記サービスを受信する、請求項５に記載の方法。
【請求項９】
前記Ｇ−ＲＮＴＩを監視するために、前記Ｇ−ＲＮＴＩに利用可能なサブフレームについての情報を受信することをさらに備える、請求項４に記載の方法。
【請求項１０】
前記Ｇ−ＲＮＴＩが半永続的スケジューリング（ＳＰＳ）のＧ−ＲＮＴＩであり、前記Ｃ−ＲＮＴＩが半永続的スケジューリング（ＳＰＳ）のＣ−ＲＮＴＩである、請求項４に記載の方法。
【請求項１１】
前記ＵＥが前記Ｇ−ＲＮＴＩを監視されるべき前記サブフレームに関する情報を受信した場合、前記ＵＥは、Ｃ−ＲＮＴＩまたは半永続的スケジューリング（ＳＰＳ）のＣ−ＲＮＴＩを監視せずに、Ｇ−ＲＮＴＩまたはＳＰＳのＧ−ＲＮＴＩのうちの少なくとも１つを監視し、前記ＵＥが前記Ｇ−ＲＮＴＩを監視されるべき前記サブフレームに関する情報を受信しない場合、前記ＵＥは、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視する、請求項４に記載の方法。
【請求項１２】
前記ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視した後、Ｇ−ＲＮＴＩまたはＳＰＳのＧ−ＲＮＴＩのうちの少なくとも１つを有する物理ダウンリンク制御チャネル（ＰＤＣＣＨ）を検出した場合、前記ＵＥは、前記サブフレーム内のＣ−ＲＮＴＩおよびＳＰＳのＣ−ＲＮＴＩを有するＰＤＣＣＨを監視することを止める、請求項１１に記載の方法。
【請求項１３】
前記ＵＥは、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づくＰＤＳＣＨの両方の同時受信をサポートするように構成される、請求項４に記載の方法。
【発明の詳細な説明】
【技術分野】
【０００１】
関連出願の相互参照
[0001]本出願は、その全体が参照により本明細書に明確に組み込まれる、「ＳＵＰＰＯＲＴ  ＯＦ  ＴＲＡＮＳＭＩＳＳＩＯＮ  ＭＯＤＥ  ＡＮＤ  ＩＭＰＡＣＴ  ＯＮ  ＰＤＣＣＨ  ＢＬＩＮＤ  ＤＥＣＯＤＥＳ  ＯＦ  ＰＴＭ（ＰＯＩＮＴ−ＴＯ−ＭＵＬＴＩＰＯＩＮＴ）ＴＲＡＮＳＭＩＳＳＩＯＮ」と題し、２０１５年１月３０日に出願された、中国ＰＣＴ出願第ＰＣＴ／ＣＮ２０１５／０７１９１１号の利益を主張する。
【０００２】
[0002]本開示は、一般に、通信システムに関し、より詳細には、ポイントツーマルチポイント送信に関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソースを共有することによって複数のユーザとの通信をサポートすることが可能な多元接続技術を採用する場合がある。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、様々なワイヤレスデバイスが都市、国家、地域、さらには地球規模で通信することを可能にする共通プロトコルを提供するために、様々な電気通信規格において採用されてきた。例示的な電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格に対する拡張のセットである。ＬＴＥは、ダウンリンク上ではＯＦＤＭＡを使用し、アップリンク上ではＳＣ−ＦＤＭＡを使用して、スペクトル効率を改善すること、コストを下げること、およびサービスを改善すること、ならびに多入力多出力（ＭＩＭＯ）アンテナ技術を介して、モバイルブロードバンドアクセスをサポートするように設計されている。しかしながら、モバイルブロードバンドアクセスに対する需要が増大し続けるにつれて、ＬＴＥ技術におけるさらなる改善に対する必要姓がある。これらの改善は、他の多元接続技術、およびこれらの技術を採用する電気通信規格にも適用可能であり得る。
【０００５】
[0005]ポイントツーマルチポイント送信は、最近、基地局がポイントツーマルチポイント送信を使用して複数のユーザ機器にデータを送るための方法を提供するために開発された。ポイントツーマルチポイント送信手法を改善するために、様々な態様が改善されるべきである。
【発明の概要】
【０００６】
[0006]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後に提示されるより詳細な説明の導入として、１つまたは複数の態様のいくつかの概念を簡略化された形で提示することである。
【０００７】
[0007]ネットワークが複数のユーザ機器（ＵＥ）にポイントツーマルチポイント（ＰＴＭ）送信を送る場合、ＰＴＭ送信には様々な改善が必要である。
【０００８】
[0008]本開示の一態様では、方法、コンピュータ可読媒体、および装置が提供される。装置はＵＥであり得る。ＵＥは、ネットワークから、複数のダウンリンク送信モードのうちの送信ダイバーシティダウンリンク送信モードを示すダウンリンク送信構成を受信する。ＵＥは、ダウンリンク送信構成に従って送信ダイバーシティダウンリンク送信モードに基づいてダウンリンク通信を構成し、送信ダイバーシティ送信モードに基づいてＰＴＭダウンリンク送信を介してサービスを受信する。
【０００９】
[0009]別の態様では、装置はＵＥであり得る。ＵＥは、ネットワークから、複数のダウンリンク送信モードのうちの送信ダイバーシティダウンリンク送信モードを示すダウンリンク送信構成を受信するための手段を含む。ＵＥは、ダウンリンク送信構成に従って送信ダイバーシティダウンリンク送信モードに基づいてダウンリンク通信を構成するための手段を含む。ＵＥは、送信ダイバーシティ送信モードに基づいてＰＴＭダウンリンク送信を介してサービスを受信するための手段を含む。
【００１０】
[0010]別の態様では、装置は、メモリと、メモリに結合された少なくとも１つのプロセッサとを含むＵＥであり得る。少なくとも１つのプロセッサは、ネットワークから、複数のダウンリンク送信モードのうちの送信ダイバーシティダウンリンク送信モードを示すダウンリンク送信構成を受信することと、ダウンリンク送信構成に従って送信ダイバーシティダウンリンク送信モードに基づいてダウンリンク通信を構成することと、送信ダイバーシティ送信モードに基づいてポイントツーマルチプル（ＰＴＭ）ダウンリンク送信を介してサービスを受信することとを行うように構成される。
【００１１】
[0011]別の態様では、ＵＥ用のコンピュータ実行可能コードを記憶するコンピュータ可読媒体は、ネットワークから、複数のダウンリンク送信モードのうちの送信ダイバーシティダウンリンク送信モードを示すダウンリンク送信構成を受信することと、ダウンリンク送信構成に従って送信ダイバーシティダウンリンク送信モードに基づいてダウンリンク通信を構成することと、送信ダイバーシティ送信モードに基づいてＰＴＭダウンリンク送信を介してサービスを受信することとを行うコードを含む。
【００１２】
[0012]本開示の別の態様では、方法、コンピュータ可読媒体、および装置が提供される。装置はＵＥであり得る。ＵＥは、ネットワークから、複数のダウンリンク送信モードのうちの１つを示すダウンリンク送信構成を受信する。ＵＥは、ダウンリンク送信構成に従って複数のダウンリンク送信モードのうちの１つに基づいてダウンリンク通信を構成し、サービスに合う複数のダウンリンク送信モードのうちの１つに基づいてＰＴＭ送信を介してサービスを受信する。
【００１３】
[0013]別の態様では、装置はＵＥであり得る。ＵＥは、ネットワークから、複数のダウンリンク送信モードのうちの１つを示すダウンリンク送信構成を受信するための手段を含む。ＵＥは、ダウンリンク送信構成に従って複数のダウンリンク送信モードのうちの１つに基づいてダウンリンク通信を構成するための手段を含む。ＵＥは、サービスに合う複数のダウンリンク送信モードのうちの１つに基づいてＰＴＭ送信を介してサービスを受信するための手段を含む。
【００１４】
[0014]別の態様では、装置は、メモリと、メモリに結合された少なくとも１つのプロセッサとを含むＵＥであり得る。少なくとも１つのプロセッサは、ネットワークから、複数のダウンリンク送信モードのうちの１つを示すダウンリンク送信構成を受信することと、ダウンリンク送信構成に従って複数のダウンリンク送信モードのうちの１つに基づいてダウンリンク通信を構成することと、サービスに合う複数のダウンリンク送信モードのうちの１つに基づいてＰＴＭ送信を介してサービスを受信することとを行うように構成される。
【００１５】
[0015]別の態様では、ＵＥ用のコンピュータ実行可能コードを記憶するコンピュータ可読媒体は、ネットワークから、複数のダウンリンク送信モードのうちの１つを示すダウンリンク送信構成を受信することと、ダウンリンク送信構成に従って複数のダウンリンク送信モードのうちの１つに基づいてダウンリンク通信を構成することと、サービスに合う複数のダウンリンク送信モードのうちの１つに基づいてＰＴＭ送信を介してサービスを受信することとを行うコードを含む。
【００１６】
[0016]本開示の別の態様では、方法、コンピュータ可読媒体、および装置が提供される。装置は基地局であり得る。基地局は、ＰＴＭ送信を介するサービスのために複数のダウンリンク送信モードのうちの１つを決定し、サービスに合う複数のダウンリンク送信モードのうちの１つに基づいてＰＴＭ送信を介してＵＥにサービスを送信する。
【００１７】
[0017]別の態様では、装置は基地局であり得る。基地局は、ＰＴＭ送信を介するサービスのために複数のダウンリンク送信モードのうちの１つを決定するための手段を含む。基地局は、サービスに合う複数のダウンリンク送信モードのうちの１つに基づいてＰＴＭ送信を介してＵＥにサービスを送信するための手段を含む。
【００１８】
[0018]別の態様では、装置は、メモリと、メモリに結合された少なくとも１つのプロセッサとを含むＵＥであり得る。少なくとも１つのプロセッサは、ＰＴＭ送信を介するサービスのために複数のダウンリンク送信モードのうちの１つを決定することと、サービスに合う複数のダウンリンク送信モードのうちの１つに基づいてＰＴＭ送信を介してＵＥにサービスを送信することとを行うように構成される。
【００１９】
[0019]別の態様では、ＵＥ用のコンピュータ実行可能コードを記憶するコンピュータ可読媒体は、ＰＴＭ送信を介するサービスのために複数のダウンリンク送信モードのうちの１つを決定することと、サービスに合う複数のダウンリンク送信モードのうちの１つに基づいてＰＴＭ送信を介してＵＥにサービスを送信することとを行うコードを含む。
【００２０】
[0020]上記および関係する目的を達成するために、１つまたは複数の態様は、以下で十分に記載され、特に特許請求の範囲内で指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００２１】
【図１】[0021]ワイヤレス通信システムおよびアクセスネットワークの一例を示す図。
【図２Ａ】[0022]ＤＬフレーム構造のＬＴＥの例を示す図。
【図２Ｂ】ＤＬフレーム構造内のＤＬチャネルのＬＴＥの例を示す図。
【図２Ｃ】ＵＬフレーム構造のＬＴＥの例を示す図。
【図２Ｄ】ＵＬフレーム構造内のＵＬチャネルのＬＴＥの例を示す図。
【図３】[0023]アクセスネットワーク内の発展型ノードＢ（ｅＮＢ）およびユーザ機器（ＵＥ）の一例を示す図。
【図４Ａ】[0024]アクセスネットワーク内のマルチキャストブロードキャスト単一周波数ネットワークエリアの一例を示す図。
【図４Ｂ】[0025]マルチキャストブロードキャスト単一周波数ネットワーク内の発展型マルチメディアブロードキャストマルチキャストサービスチャネル構成の一例を示す図。
【図４Ｃ】[0026]マルチキャストチャネル（ＭＣＨ）スケジューリング情報（ＭＳＩ）媒体アクセス制御の制御要素のフォーマットを示す図。
【図５Ａ】[0027]本開示の第１の手法を示す例示的な図。
【図５Ｂ】[0028]本開示の第２の手法を示す例示的な図。
【図６】[0029]本開示の第１の手法による、ワイヤレス通信の方法のフローチャート。
【図７】[0030]例示的な装置内の様々な手段／構成要素間のデータフローを示す概念データフロー図。
【図８】[0031]処理システムを採用する装置のためのハードウェア実装形態の一例を示す図。
【図９】[0032]本開示の第２の手法による、ワイヤレス通信の方法のフローチャート。
【図１０Ａ】[0033]図９のフローチャートから展開するワイヤレス通信の方法のフローチャート。
【図１０Ｂ】[0034]図９のフローチャートから展開するワイヤレス通信の方法のフローチャート。
【図１１Ａ】[0035]図９のフローチャートから展開するワイヤレス通信の方法のフローチャート。
【図１１Ｂ】[0036]図９のフローチャートから展開するワイヤレス通信の方法のフローチャート。
【図１２】[0037]例示的な装置内の様々な手段／構成要素間のデータフローを示す概念データフロー図。
【図１３】[0038]処理システムを採用する装置のためのハードウェア実装形態の一例を示す図。
【図１４Ａ】[0039]本開示の一態様による、ワイヤレス通信の方法のフローチャート。
【図１４Ｂ】[0040]図１４Ａのフローチャートから展開するワイヤレス通信の方法のフローチャート。
【図１５Ａ】[0041]図１４Ａのフローチャートから展開するワイヤレス通信の方法のフローチャート。
【図１５Ｂ】[0042]図１４Ａのフローチャートから展開するワイヤレス通信の方法のフローチャート。
【図１６】[0043]例示的な装置内の様々な手段／構成要素間のデータフローを示す概念データフロー図。
【図１７】[0044]処理システムを採用する装置のためのハードウェア実装形態の一例を示す図。
【発明を実施するための形態】
【００２２】
[0045]添付の図面に関して以下に記載される発明を実施するための形態は、様々な構成を説明するものであり、本明細書に記載される概念が実践され得る構成のみを表すものではない。発明を実施するための形態は、様々な概念の完全な理解を提供する目的で、具体的な詳細を含む。しかしながら、これらの概念がこれらの具体的な詳細なしに実践され得ることは、当業者に明らかであろう。場合によっては、そのような概念を曖昧にすることを回避するために、よく知られている構造および構成要素がブロック図の形態で示される。
【００２３】
[0046]次に、様々な装置および方法を参照して、電気通信システムのいくつかの態様が提示される。これらの装置および方法は、以下の発明を実施するための形態に記載され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装される場合がある。そのような要素がハードウェアとして実装されるか、またはソフトウェアとして実装されるかは、特定の適用例および全体的なシステムに課される設計制約に依存する。
【００２４】
[0047]例として、要素、または要素の任意の部分、または要素の任意の組合せは、１つまたは複数のプロセッサを含む「処理システム」として実装される場合がある。プロセッサの例には、マイクロプロセッサ、マイクロコントローラ、グラフィックス処理ユニット（ＧＰＵ）、中央処理装置（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって記載される様々な機能を実施するように構成された他の適切なハードウェアが含まれる。処理システム内の１つまたは複数のプロセッサは、ソフトウェアを実行することができる。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２５】
[0048]したがって、１つまたは複数の例示的な実施形態では、記載される機能は、ハードウェア、ソフトウェア、またはそれらの任意の組合せに実装される場合がある。ソフトウェアに実装される場合、機能は、コンピュータ可読媒体上に記憶されるか、またはコンピュータ可読媒体上の１つもしくは複数の命令もしくはコードとして符号化される場合がある。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述されたタイプのコンピュータ可読媒体の組合せ、またはコンピュータによってアクセスされ得る、命令もしくはデータ構造の形態のコンピュータ実行可能コードを記憶するために使用され得る任意の他の媒体を備えることができる。
【００２６】
[0049]図１は、ワイヤレス通信システムおよびアクセスネットワーク１００の一例を示す図である。（ワイヤレスワイドエリアネットワーク（ＷＷＡＮ）とも呼ばれる）ワイヤレス通信システムは、基地局１０２と、ＵＥ１０４と、発展型パケットコア（ＥＰＣ）１６０とを含む。基地局１０２は、マクロセル（高出力セルラー基地局）および／またはスモールセル（低出力セルラー基地局）を含む場合がある。マクロセルには、ｅＮＢが含まれる。スモールセルには、フェムトセル、ピコセル、およびミクロセルが含まれる。
【００２７】
[0050]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能：ユーザデータの転送、無線チャネルの暗号化および解読、完全性保護、ヘッダ圧縮、モビリティ制御機能（たとえば、ハンドオーバ、デュアル接続性）、セル間干渉協調、接続セットアップおよび解放、負荷分散、非アクセス層（ＮＡＳ）メッセージ用の分散、ＮＡＳノード選択、同期、無線アクセスネットワーク（ＲＡＮ）共有、マルチメディアブロードキャストマルチキャストサービス（ＭＢＭＳ）、加入者および機器のトレース、ＲＡＮ情報管理（ＲＩＭ）、ページング、測位、ならびに警告メッセージの配信のうちの１つまたは複数を実施することができる。基地局１０２は、バックホールリンク１３４（たとえば、Ｘ２インターフェース）を介して互いと、直接的または（たとえば、ＥＰＣ１６０を通して）間接的に通信することができる。バックホールリンク１３４は、有線またはワイヤレスであり得る。
【００２８】
[0051]基地局１０２は、ＵＥ１０４とワイヤレスに通信することができる。基地局１０２の各々は、それぞれの地理的カバレージエリア１１０に通信カバレージを提供することができる。重複する地理的カバレージエリア１１０が存在する場合がある。たとえば、スモールセル１０２’は、１つまたは複数のマクロ基地局１０２のカバレージエリア１１０と重複するカバレージエリア１１０’を有する場合がある。スモールセルとマクロセルの両方を含むネットワークは、異種ネットワークとして知られる場合がある。異種ネットワークは、限定加入者グループ（ＣＳＧ）として知られる限定されたグループにサービスを提供することができるホーム発展型ノードＢ（ｅＮＢ）（ＨｅＮＢ）を含む場合もある。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含む場合がある。通信リンク１２０は、空間多重化、ビームフォーミング、および／または送信ダイバーシティを含むＭＩＭＯアンテナ技術を使用することができる。通信リンクは、１つまたは複数のキャリアを通る場合がある。基地局１０２／ＵＥ１０４は、各方向に送信するために使用される合計ＹｘＭＨｚ（ｘ個のコンポーネントキャリア）までのキャリアアグリゲーションにおいて割り振られた、キャリア当たりＹＭＨｚ（たとえば、５、１０、１５、２０ＭＨｚ）までの帯域幅のスペクトルを使用することができる。キャリアは、互いに隣接する場合も隣接しない場合もある。キャリアの割振りは、ＤＬおよびＵＬに対して非対称であり得る（たとえば、ＵＬよりも多いかまたは少ないキャリアがＤＬに割り振られる場合がある）。コンポーネントキャリアは、１次コンポーネントキャリアと、１つまたは複数の２次コンポーネントキャリアとを含む場合がある。１次コンポーネントキャリアは１次セル（ＰＣｅｌｌ）と呼ばれる場合があり、２次コンポーネントキャリアは２次セル（ＳＣｅｌｌ）と呼ばれる場合がある。
【００２９】
[0052]ワイヤレス通信システムは、５ＧＨｚ無認可周波数スペクトル内の通信リンク１５４を介してＷｉ−Ｆｉ（登録商標）ステーション（ＳＴＡ）１５２と通信しているＷｉ−Ｆｉアクセスポイント（ＡＰ）１５０をさらに含む場合がある。無認可周波数スペクトル内で通信しているとき、ＳＴＡ１５２／ＡＰ１５０は、チャネルが利用可能かどうかを決定するために、通信より前にクリアチャネルアセスメント（ＣＣＡ）を実施することができる。
【００３０】
[0053]スモールセル１０２’は、認可周波数スペクトルおよび／または無認可周波数スペクトル内で動作することができる。無認可周波数スペクトル内で動作するとき、スモールセル１０２’は、ＬＴＥを採用し、Ｗｉ−ＦｉＡＰ１５０によって使用されるのと同じ５ＧＨｚ無認可周波数スペクトルを使用することができる。スモールセル１０２’は、無認可周波数スペクトル内でＬＴＥを採用すると、アクセスネットワークに対するカバレージを高め、および／またはアクセスネットワークの容量を増やすことができる。無認可スペクトル内のＬＴＥは、ＬＴＥ無認可（ＬＴＥ−Ｕ）、認可補助アクセス（ＬＡＡ）、またはＭｕＬＴＥｆｉｒｅと呼ばれる場合がある。
【００３１】
[0054]ＥＰＣ１６０は、モビリティ管理エンティティ（ＭＭＥ）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンタ（ＢＭ−ＳＣ）１７０と、パケットデータネットワーク（ＰＤＮ）ゲートウェイ１７２とを含む場合がある。ＭＭＥ１６２は、ホーム加入者サーバ（ＨＳＳ）１７４と通信している場合がある。ＭＭＥ１６２は、ＵＥ１０４とＥＰＣ１６０との間のシグナリングを処理する制御ノードである。概して、ＭＭＥ１６２は、ベアラと接続管理とを提供する。すべてのユーザのインターネットプロトコル（ＩＰ）パケットは、サービングゲートウェイ１６６を通して転送され、サービングゲートウェイ１６６自体は、ＰＤＮゲートウェイ１７２に接続される。ＰＤＮゲートウェイ１７２は、ＵＥのＩＰアドレス割振りならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含む場合がある。ＢＭ−ＳＣ１７０は、ＭＢＭＳユーザサービスのプロビジョニングおよび配信のための機能を提供することができる。ＢＭ−ＳＣ１７０は、コンテンツプロバイダＭＢＭＳ送信のためのエントリポイントとして働く場合があり、公的地域モバイルネットワーク（ＰＬＭＮ）内のＭＢＭＳベアラサービスを認可および開始するために使用される場合があり、ＭＢＭＳ送信をスケジュールするために使用される場合がある。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用される場合があり、セッション管理（開始／停止）、およびｅＭＢＭＳ関係の課金情報を収集することに関与する場合がある。
【００３２】
[0055]基地局は、ノードＢ、発展型ノードＢ（ｅＮＢ）、アクセスポイント、トランシーバ基地局、無線基地局、無線トランシーバ、トランシーバ機能、基本サービスセット（ＢＳＳ）、拡張サービスセット（ＥＳＳ）、または他の何らかの適切な用語で呼ばれる場合もある。基地局１０２は、ＵＥ１０４にＥＰＣ１６０へのアクセスポイントを提供する。ＵＥ１０４の例には、携帯電話、スマートフォン、セッション開始プロトコル（ＳＩＰ）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスが含まれる。ＵＥ１０４は、ステーション、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００３３】
[0056]再び図１を参照すると、いくつかの態様では、ＵＥ１０４／ｅＮＢ１０２は、ＵＥ１０４に対応するサービスを提供するために、ある特定の送信モードを設定して、ｅＮＢ１０２からＵＥ１０４へのポイントツーマルチポイント送信を通信するように構成される場合がある（１９８）。
【００３４】
[0057]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有する場合がある。ＬＴＥでは、フレーム（１０ｍｓ）は、１０個の等しいサイズのサブフレームに分割される場合がある。各サブフレームは、２つの連続するタイムスロットを含む場合がある。リソースグリッドは、２つのタイムスロットを表すために使用される場合があり、各タイムスロットは、１つまたは複数の（物理ＲＢ（ＰＲＢ）とも呼ばれる）時間並列リソースブロック（ＲＢ）を含む。リソースグリッドは、複数のリソース要素（ＲＥ）に分割される。ＬＴＥでは、ノーマルサイクリックプレフィックスの場合、ＲＢは、合計８４個のＲＥに対して、周波数領域内に１２個の連続するサブキャリアを含んでおり、時間領域内に７個の連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥに対して、周波数領域内に１２個の連続するサブキャリアを含んでおり、時間領域内に６個の連続するシンボルを含んでいる。各ＲＥによって搬送されるビット数は、変調方式に依存する。
【００３５】
[0058]図２Ａに示されたように、ＲＥのうちのいくつかは、ＵＥにおけるチャネル推定用のＤＬ基準（パイロット）信号（ＤＬ−ＲＳ）を搬送する。ＤＬ−ＲＳは、（時々共通ＲＳとも呼ばれる）セル固有基準信号（ＣＲＳ）と、ＵＥ固有基準信号（ＵＥ−ＲＳ）と、チャネル状態情報基準信号（ＣＳＩ−ＲＳ）とを含む場合がある。図２Ａは、（それぞれ、Ｒ0、Ｒ1、Ｒ2、およびＲ3と示された）アンテナポート０、１、２、および３向けのＣＲＳと、（Ｒ5と示された）アンテナポート５向けのＵＥ−ＲＳと、（Ｒと示された）アンテナポート１５向けのＣＳＩ−ＲＳとを示す。図２Ｂは、フレームのＤＬサブフレーム内の様々なチャネルの一例を示す。物理制御フォーマットインジケータチャネル（ＰＣＦＩＣＨ）はスロット０のシンボル０内にあり、物理ダウンリンク制御チャネル（ＰＤＣＣＨ）が１つのシンボルを占有するか、２つのシンボルを占有するか、または３つのシンボルを占有するかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でダウンリンク制御情報（ＤＣＩ）を搬送し、各ＣＣＥは９個のＲＥグループ（ＲＥＧ）を含み、各ＲＥＧはＯＦＤＭシンボル内の４個の連続するＲＥを含む。ＵＥは、同様にＤＣＩを搬送するＵＥ固有拡張ＰＤＣＣＨ（ｅＰＤＣＣＨ）で構成される場合がある。ｅＰＤＣＣＨは、２個、４個、または８個のＲＢペアを有する場合がある（図２Ｂは２個のＲＢペアを示し、各サブセットは１個のＲＢペアを含む）。物理ハイブリッド自動再送要求（ＡＲＱ）（ＨＡＲＱ）インジケータチャネル（ＰＨＩＣＨ）もスロット０のシンボル０内にあり、物理アップリンク共有チャネル（ＰＵＳＣＨ）に基づいてＨＡＲＱ肯定応答（ＡＣＫ）／否定ＡＣＫ（ＮＡＣＫ）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別グループ番号を決定するためにＵＥによって使用される２次同期信号（ＳＳＳ）を搬送する。物理レイヤ識別情報および物理レイヤセル識別グループ番号に基づいて、ＵＥは、物理セル識別子（ＰＣＩ）を決定することができる。ＰＣＩに基づいて、ＵＥは、前述されたＤＬ−ＲＳの位置を決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅内のＲＢの数と、ＰＨＩＣＨ構成と、システムフレーム番号（ＳＦＮ）とを提供する。物理ダウンリンク共有チャネル（ＰＤＳＣＨ）は、ユーザデータと、システム情報ブロック（ＳＩＢ）などのＰＢＣＨを通して送信されないブロードキャストシステム情報と、ページングメッセージとを搬送する。
【００３６】
[0059]図２Ｃに示されたように、ＲＥのうちのいくつかは、ｅＮＢにおけるチャネル推定用の復調基準信号（ＤＭ−ＲＳ）を搬送する。ＵＥは、サブフレームの最終シンボル内でサウンディング基準信号（ＳＲＳ）をさらに送信することができる。ＳＲＳはコム構造を有する場合があり、ＵＥはコムのうちの１つでＳＲＳを送信することができる。ＳＲＳは、ＵＬ上の周波数依存スケジューリングを可能にするために、チャネル品質推定にｅＮＢによって使用される場合がある。図２Ｄは、フレームのＵＬサブフレーム内の様々なチャネルの一例を示す。物理ランダムアクセスチャネル（ＰＲＡＣＨ）は、ＰＲＡＣＨ構成に基づいてフレーム内の１つまたは複数のサブフレーム内にあり得る。ＰＲＡＣＨは、サブフレーム内の６個の連続するＲＢペアを含む場合がある。ＰＲＡＣＨにより、ＵＥが初期システムアクセスを実施し、ＵＬ同期を実現することが可能になる。物理アップリンク制御チャネル（ＰＵＣＣＨ）は、ＵＬシステム帯域幅の縁部に位置する場合がある。ＰＵＣＣＨは、スケジューリング要求、チャネル品質インジケータ（ＣＱＩ）、プリコーディング行列インジケータ（ＰＭＩ）、ランクインジケータ（ＲＩ）、およびＨＡＲＱ  ＡＣＫ／ＮＡＣＫフィードバックなどのアップリンク制御情報（ＵＣＩ）を搬送する。ＰＵＳＣＨはデータを搬送し、バッファステータス報告（ＢＳＲ）、電力ヘッドルーム報告（ＰＨＲ）、および／またはＵＣＩを搬送するためにさらに使用される場合がある。
【００３７】
[0060]図３は、アクセスネットワーク内でｅＮＢ３１０がＵＥ３５０と通信しているブロック図である。ＤＬでは、ＥＰＣ１６０からのＩＰパケットがコントローラ／プロセッサ３７５に供給される場合がある。コントローラ／プロセッサ３７５は、レイヤ３およびレイヤ２の機能を実装する。レイヤ３は、無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスト、ＲＲＣ接続制御（たとえば、ＲＲＣ接続ページング、ＲＲＣ接続確立、ＲＲＣ接続修正、およびＲＲＣ接続解放）、無線アクセス技術（ＲＡＴ）間モビリティ、ならびにＵＥ測定報告用の測定構成に関連付けられたＲＲＣレイヤ機能と、ヘッダ圧縮／解凍、セキュリティ（暗号化、解読、完全性保護、完全性検証）、およびハンドオーバサポート機能に関連付けられたＰＤＣＰレイヤ機能と、上位レイヤパケットデータユニット（ＰＤＵ）の転送、ＡＲＱを介する誤り訂正、ＲＬＣサービスデータユニット（ＳＤＵ）の連結、セグメント化、およびリアセンブリ、ＲＬＣデータＰＤＵの再セグメント化、ならびにＲＬＣデータＰＤＵの並べ替えに関連付けられたＲＬＣレイヤ機能と、論理チャネルとトランスポートチャネルとの間のマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを介する誤り訂正、優先度処理、および論理チャネル優先順位付けに関連付けられたＭＡＣレイヤ機能とを提供する。
【００３８】
[0061]送信（ＴＸ）プロセッサ３１６および受信（ＲＸ）プロセッサ３７０は、様々な信号処理機能に関連付けられたレイヤ１の機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含む場合がある。ＴＸプロセッサ３１６は、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ））に基づいて、信号コンスタレーションへのマッピングを処理する。コーディングおよび変調されたシンボルは、次いで、並列ストリームに分割される場合がある。各ストリームは、次いで、ＯＦＤＭサブキャリアにマッピングされ、時間領域および／または周波数領域において基準信号（たとえば、パイロット）と多重化され、次いで、逆高速フーリエ変換（ＩＦＦＴ）を使用して一緒に合成されて、時間領域のＯＦＤＭシンボルストリームを搬送する物理チャネルを生成することができる。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用される場合がある。チャネル推定値は、ＵＥ３５０によって送信された基準信号および／またはチャネル状態フィードバックから導出される場合がある。各空間ストリームは、次いで、別々の送信機３１８ＴＸを介して異なるアンテナ３２０に供給される場合がある。各送信機３１８ＴＸは、送信用にそれぞれの空間ストリームを有するＲＦキャリアを変調することができる。
【００３９】
[0062]ＵＥ３５０において、各受信機３５４ＲＸは、そのそれぞれのアンテナ３５２を通して信号を受信する。各受信機３５４ＲＸは、ＲＦキャリア上で変調された情報を復元し、受信（ＲＸ）プロセッサ３５６に情報を供給する。ＴＸプロセッサ３６８およびＲＸプロセッサ３５６は、様々な信号処理機能に関連付けられたレイヤ１の機能を実装する。ＲＸプロセッサ３５６は、情報に対して空間処理を実施して、ＵＥ３５０に宛てられた任意の空間ストリームを復元することができる。複数の空間ストリームがＵＥ３５０に宛てられた場合、それらは、ＲＸプロセッサ３５６によって単一のＯＦＤＭシンボルストリームに合成される場合がある。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルおよび基準信号は、ｅＮＢ３１０によって送信された最も可能性が高い信号コンスタレーションポイントを決定することによって復元および復調される。これらの軟決定は、チャネル推定器３５８によって計算されたチャネル推定値に基づく場合がある。軟決定は、次いで、物理チャネル上でｅＮＢ３１０によって最初に送信されたデータと制御信号とを復元するために復号およびデインターリーブされる。データおよび制御信号は、次いで、レイヤ３およびレイヤ２の機能を実装するコントローラ／プロセッサ３５９に供給される。
【００４０】
[0063]コントローラ／プロセッサ３５９は、プログラムコードとデータとを記憶するメモリ３６０に関連付けられ得る。メモリ３６０は、コンピュータ可読媒体と呼ばれる場合がある。ＵＬでは、コントローラ／プロセッサ３５９は、ＥＰＣ１６０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３５９はまた、ＨＡＲＱ動作をサポートするためにＡＣＫおよび／またはＮＡＣＫプロトコルを使用する誤り検出に関与する。
【００４１】
[0064]ｅＮＢ３１０によるＤＬ送信に関して記載された機能と同様に、コントローラ／プロセッサ３５９は、システム情報（たとえば、ＭＩＢ、ＳＩＢ）の取得、ＲＲＣ接続、および測定報告に関連付けられたＲＲＣレイヤ機能と、ヘッダ圧縮／解凍、およびセキュリティ（暗号化、解読、完全性保護、完全性検証）に関連付けられたＰＤＣＰレイヤ機能と、上位レイヤＰＤＵの転送、ＡＲＱを介する誤り訂正、ＲＬＣ  ＳＤＵの連結、セグメント化、およびリアセンブリ、ＲＬＣデータＰＤＵの再セグメント化、ならびにＲＬＣデータＰＤＵの並べ替えに関連付けられたＲＬＣレイヤ機能と、論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを介する誤り訂正、優先度処理、および論理チャネル優先順位付けに関連付けられたＭＡＣレイヤ機能とを提供する。
【００４２】
[0065]ｅＮＢ３１０によって送信された基準信号またはフィードバックからチャネル推定器３５８によって導出されたチャネル推定値は、適切な符号化および変調方式を選択し、空間処理を容易にするために、ＴＸプロセッサ３６８によって使用される場合がある。ＴＸプロセッサ３６８によって生成された空間ストリームは、別々の送信機３５４ＴＸを介して異なるアンテナ３５２に供給される場合がある。各送信機３５４ＴＸは、送信用にそれぞれの空間ストリームを有するＲＦキャリアを変調することができる。
【００４３】
[0066]ＵＬ送信は、ＵＥ３５０における受信機機能に関して記載された方式と同様の方式で、ｅＮＢ３１０において処理される。各受信機３１８ＲＸは、そのそれぞれのアンテナ３２０を通して信号を受信する。各受信機３１８ＲＸは、ＲＦキャリア上に変調された情報を復元し、ＲＸプロセッサ３７０に情報を供給する。
【００４４】
[0067]コントローラ／プロセッサ３７５は、プログラムコードとデータとを記憶するメモリ３７６に関連付けられ得る。メモリ３７６は、コンピュータ可読媒体と呼ばれる場合がある。ＵＬでは、コントローラ／プロセッサ３７５は、ＵＥ３５０からのＩＰパケットを復元するために、トランスポートチャネルと論理チャネルとの間の逆多重化と、パケットリアセンブリと、解読と、ヘッダ解凍と、制御信号処理とを提供する。コントローラ／プロセッサ３７５からのＩＰパケットは、ＥＰＣ１６０に供給される場合がある。コントローラ／プロセッサ３７５はまた、ＨＡＲＱ動作をサポートするためにＡＣＫおよび／またはＮＡＣＫプロトコルを使用する誤り検出に関与する。
【００４５】
[0068]図４Ａは、アクセスネットワーク内のＭＢＳＦＮエリアの一例を示す図４１０である。セル４１２’内のｅＮＢ４１２は第１のＭＢＳＦＮエリアを形成することができ、セル４１４’内のｅＮＢ４１４は第２のＭＢＳＦＮエリアを形成することができる。ｅＮＢ４１２、４１４は、各々、他のＭＢＳＦＮエリア、たとえば、合計８つまでのＭＢＳＦＮエリアに関連付けられる場合がある。ＭＢＳＦＮエリア内のセルは、予約済みセルに指定される場合がある。予約済みセルは、マルチキャスト／ブロードキャストのコンテンツを供給しないが、セル４１２’、４１４’に時間同期され、ＭＢＳＦＮエリアへの干渉を制限するために、ＭＢＳＦＮリソース上で限定された電力を有する場合がある。ＭＢＳＦＮエリア内の各ｅＮＢは、同じｅＭＢＭＳ制御情報とデータとを同時に送信する。各エリアは、ブロードキャストサービスと、マルチキャストサービスと、ユニキャストサービスとをサポートすることができる。ユニキャストサービスは、特定のユーザを対象とするサービス、たとえば、ボイス呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図４Ａを参照すると、第１のＭＢＳＦＮエリアは、特定のニュースブロードキャストをＵＥ４２５に供給することなどにより、第１のｅＭＢＭＳブロードキャストサービスをサポートすることができる。第２のＭＢＳＦＮエリアは、異なるニュースブロードキャストをＵＥ４２０に供給することなどにより、第２のｅＭＢＭＳブロードキャストサービスをサポートすることができる。
【００４６】
[0069]図４Ｂは、ＭＢＳＦＮにおけるｅＭＢＭＳチャネル構成の一例を示す図４３０である。図４Ｂに示されたように、各ＭＢＳＦＮエリアは、１つまたは複数の物理マルチキャストチャネル（ＰＭＣＨ）（たとえば、１５個のＰＭＣＨ）をサポートする。各ＰＭＣＨはＭＣＨに対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ）を有する場合がある。したがって、１つのＭＣＨは、１つのＭＣＣＨと複数のマルチキャストトラフィックチャネル（ＭＴＣＨ）とを多重化することができ、残りのＭＣＨは複数のＭＴＣＨを多重化することができる。
【００４７】
[0070]ＵＥは、ＬＴＥセルにキャンプオンして、ｅＭＢＭＳサービスアクセスと対応するアクセス層構成の利用可能性とを発見することができる。最初に、ＵＥは、ＳＩＢ１３（ＳＩＢ１３）を取得することができる。その後、ＳＩＢ１３に基づいて、ＵＥは、ＭＣＣＨ上でＭＢＳＦＮエリア構成メッセージを取得することができる。その後、ＭＢＳＦＮエリア構成メッセージに基づいて、ＵＥは、ＭＳＩ  ＭＡＣ制御要素を取得することができる。ＳＩＢ１３は、（１）セルによってサポートされる各ＭＢＳＦＮエリアのＭＢＳＦＮエリア識別子と、（２）ＭＣＣＨ繰返し期間（たとえば、３２個、６４個、．．．、２５６個のフレーム）、ＭＣＣＨオフセット（たとえば、０個、１個、．．．、１０個のフレーム）、ＭＣＣＨ修正期間（たとえば、５１２個、１０２４個のフレーム）、シグナリング変調およびコーディング方式（ＭＣＳ）、繰返し期間およびオフセットによって示される無線フレームのどのサブフレームがＭＣＣＨを送信することができるかを示すサブフレーム割振り情報などのＭＣＣＨを収集するための情報と、（３）ＭＣＣＨ変更通知構成とを含む場合がある。ＭＢＳＦＮエリアごとに１つのＭＢＳＦＮエリア構成メッセージがある。ＭＢＳＦＮエリア構成メッセージは、（１）ＰＭＣＨ内の論理チャネル識別子によって識別される各ＭＴＣＨの一時的モバイルグループ識別情報（ＴＭＧＩ）およびオプションのセッション識別子と、（２）ＭＢＳＦＮエリアの各ＰＭＣＨを送信するための割り振られたリソース（すなわち、無線フレームおよびサブフレーム）ならびにそのエリア内のすべてのＰＭＣＨのための割り振られたリソースの割振り期間（たとえば、４個、８個、．．．、２５６個のフレーム）と、（３）ＭＳＩ  ＭＡＣ制御要素が送信されるＭＣＨスケジューリング期間（ＭＳＰ）（たとえば、８個、１６個、３２個、．．．、または１０２４個の無線フレーム）とを示すことができる。特定のＴＭＧＩは、利用可能なＭＢＭＳサービスのうちの特定のサービスを識別する。
【００４８】
[0071]図４Ｃは、ＭＳＩ  ＭＡＣ制御要素のフォーマットを示す図４４０である。ＭＳＩ  ＭＡＣ制御要素は、ＭＳＰごとに一回送られる場合がある。ＭＳＩ  ＭＡＣ制御要素は、ＰＭＣＨの各スケジューリング期間の第１のサブフレーム内で送られる場合がある。ＭＳＩ  ＭＡＣ制御要素は、ＰＭＣＨ内の各ＭＴＣＨの停止フレームとサブフレームとを示すことができる。ＭＢＳＦＮエリアごとにＰＭＣＨ当たり１つのＭＳＩがあり得る。論理チャネル識別子（ＬＣＩＤ）フィールド（たとえば、ＬＣＩＤ１、ＬＣＩＤ２、．．．、ＬＣＩＤｎ）は、ＭＴＣＨの論理チャネル識別子を示すことができる。停止ＭＴＣＨフィールド（たとえば、停止ＭＴＣＨ１、停止ＭＴＣＨ２、．．．、停止ＭＴＣＨｎ）は、特定のＬＣＩＤに対応するＭＴＣＨを搬送する最終サブフレームを示すことができる。
【００４９】
[0072]ＭＢＭＳエリアでは、ＭＢＭＳエリアに関連付けられたセルは、時間同期方式でサービスを送信することができる。複数のセルからのブロードキャスト／マルチキャスト送信は合成され得るので、ＵＥにおけるＭＢＭＳゲインが発生する。しかしながら、セルからのそのような送信を時間同期することができないとき、および／または特定のサービス、たとえばグループ呼に関心があるＵＥの数が限られているときの状況があり得る。そのような状況では、ＭＢＭＳエリア内のセルからのＭＢＭＳ送信は、実現可能ではない場合があるか、または非効率的な場合がある。１つまたは複数の隔離されたセルが存在する（隣接セルがサービスに関心があるＵＥをサービスしない）ときのような状況では、２つ以上のＵＥをサービスする各隔離されたセル、そのような１つまたは複数の隔離されたセルは、単一セルのＭＢＳＦＮモードで動作するように構成される場合がある。したがって、複数のＵＥを対象とする単一セル送信についてのパフォーマンスは、改善されるべきである。
【００５０】
[0073]特に、ネットワーク（たとえば、ｅＮＢ）は、ポイントツーマルチポイント（ＰＴＭ）送信を介して複数のＵＥに同じサービスを送信することができ、単一のＰＴＭ送信は複数のＵＥを対象とすることができる。そのようなＰＴＭ送信は、グループ呼として実装される場合がある。ＰＴＭ送信では、同じＰＴＭ送信によって対象とされたＵＥは同じグループ内にあり、したがって、無線ネットワーク一時識別子（ＲＮＴＩ）などの同じ識別子で構成される場合がある。たとえば、同じＰＴＭ送信によって対象とされた同じグループ内のＵＥは、同じグループ内のＵＥの間で共通するグループＲＮＴＩ（Ｇ−ＲＮＴＩ）で構成される場合があるが、各ＵＥは、各ＵＥへのユニキャスト送信用のセルＲＮＴＩ（Ｃ−ＲＮＴＩ）などの別のタイプのＲＮＴＩで構成される場合がある。特に、ｅＮＢは、巡回冗長検査（ＣＲＣ）をＲＮＴＩとスクランブルし、スクランブルされたＣＲＣを有する物理ダウンリンク制御チャネル（ＰＤＣＣＨ）を送信する。ＵＥがスクランブルされたＣＲＣを有するＰＤＣＣＨを受信すると、ＵＥは、ｅＮＢからのサービスに対応するＲＮＴＩを決定し、決定されたＲＮＴＩを使用してスクランブルされたＣＲＣを逆スクランブルする。ＵＥも、受信されたＰＤＣＣＨに基づいてＣＲＣを生成し、逆スクランブルされたＣＲＣと受信されたＰＤＣＣＨに基づいて生成されたＣＲＣとを比較する。受信されたＰＤＣＣＨに基づくＣＲＣが逆スクランブルされたＣＲＣと一致する場合、ＵＥは、受信されたＰＤＣＣＨを利用することを決定し、ＰＤＣＣＨによって示されたＰＤＳＣＨを決定する。
【００５１】
[0074]グループ呼設定などのＰＴＭ送信の例では、同じＧ−ＲＮＴＩは、同じグループ内のＵＥの間で共有される。したがって、ＰＴＭ送信の例では、同じグループ内の各ＵＥは、Ｇ−ＲＮＴＩに基づいてＰＤＣＣＨを決定することができ、ＰＤＳＣＨ上でＰＴＭ送信データを受信するために、それに応じて対応するＰＤＳＣＨを使用することができる。このように、一態様では、ＰＴＭ送信はＧ−ＲＮＴＩベースの送信であり得る。ユニキャスト送信の例では、ＵＥは、ＵＥのＣ−ＲＮＴＩに基づいてＰＤＣＣＨを復号するように試みることができ、対応するＰＤＳＣＨ上でユニキャスト送信データを受信するために、ＰＤＣＣＨ内で示された情報を使用することができる。このように、一態様では、ユニキャスト送信はＣ−ＲＮＴＩベースの送信であり得る。以下で説明されるように、そのようなＰＴＭ送信に対して様々な改善が行われる場合がある。
【００５２】
[0075]ＵＥは、（たとえば、データ送信用のＰＤＣＣＨおよびＰＤＳＣＨをどのように復号するかを決定するために）ダウンリンク送信用のいくつかの送信モードのうちの１つで構成される場合がある。特に、ＵＥは、最初に、その送信モード可能性（transmission mode capability）をネットワークに送ることができ、ネットワークは、その後、ＵＥが構成されるべき送信モードを示す送信構成メッセージをＵＥに送る。次いで、ＵＥは、送信構成メッセージによる送信モードでダウンリンク送信を構成することができる。
【００５３】
[0076]単一の送信が複数のＵＥを対象とするグループ呼サービスの場合、異なるＵＥは、異なる幾何形状（たとえば、信号対干渉プラス雑音比）に遭遇する場合がある。このように、広い幾何形状分布を有するＵＥに適応するために、送信ダイバーシティは、ＰＴＭ送信を介して複数のＵＥを対象とするために好ましい通信方法であり得る。したがって、本開示の第１の手法によれば、送信ダイバーシティ用のダウンリンク送信モードは、ＰＴＭ送信向けにサポートされる場合がある。たとえば、ネットワーク（たとえば、ｅＮＢ）は、ＵＥが送信ダイバーシティ用の送信モードで構成されるべきことを示す送信構成メッセージを送ることができる。このように、ＵＥは、ＰＴＭ送信を受信するために、送信ダイバーシティ用の送信モードで構成される場合がある。たとえば、送信ダイバーシティ用のダウンリンク送信モードは、ＰＤＳＣＨ用の送信モード２（ＴＭ２）であり得る。ＴＭ２用のＰＤＳＣＨの送信方式が送信ダイバーシティなので、ＴＭ２は異なる幾何形状を有する複数のＵＥへの送信に適している。
【００５４】
[0077]図５Ａは、本開示の第１の手法を示す例示的な図５００である。例示的な図５００では、ｅＮＢ５０２は、複数のＵＥとのＰＴＭ送信を実施することが可能である。ＵＥ５１２、５１４、５１６、および５１８は同じグループ５１０内にあり、したがって、ｅＮＢ５０２からＰＴＭ送信を介して、同じサービスを受信することができる。ＵＥ５２０および５２２は同じグループ５１０内になく、したがって、ｅＮＢ５０２からＰＴＭ送信を介して、ＵＥ５１２、５１４、５１６、および５１８と同じサービスを受信しない。ｅＮＢ５０２は、ＵＥ５１２、５１４、および５１８に、ＴＭ２を使用するＰＴＭ送信を介してサービスを送信することができる。上記で説明されたように、送信ダイバーシティ用のダウンリンク送信モードは、ＰＤＳＣＨ用のＴＭ２であり得る。この例示的な図では、ＵＥ５１６はＰＴＭ送信用のＴＭ２をサポートしないので、ｅＮＢ５０２は、ＵＥ５１６にＴＭ２を介してサービスを送信しない場合がある。
【００５５】
[0078]本開示の第２の手法によれば、ＵＥは、ＰＴＭ送信を介してサービスを受信することに適したダウンリンク送信モードのうちの任意の１つで構成される場合がある。たとえば、ｅＮＢは、特定のサービスに利用可能なダウンリンク送信モードのうちの任意の１つを示す送信構成メッセージを送ることができ、その結果、ＵＥは、特定のサービスに利用可能な送信モードに基づいて、それに応じてダウンリンク通信を構成することができ、利用可能な送信モードに基づいて、ＰＴＭ送信を介してサービスを受信することができる。第２の手法では、複数のダウンリンク送信モードが利用可能なので、各サービスは、サービスに合う特定の送信モードで構成される。第２の手法は、ＰＴＭ送信を介してサービスを受信するために特定の送信モードをサポートすることをすべてのＵＥに要求しないことに留意されたい。言い換えれば、いくつかのＵＥは特定の送信モードをサポートすることができるが、他のＵＥは同じ特定の送信モードをサポートする場合もサポートしない場合もある。ＵＥがＰＴＭ送信を介してサービスを受信するための特定の送信モードをサポートしない場合、ＵＥは、ＰＴＭ送信を介して対応するサービスを受信することができない場合があるが、ユニキャストを介して対応するサービスを受信することがまだできる場合がある。たとえば、サービスが送信モード７（ＴＭ７）を介して送信され、ＵＥがＴＭ７をサポートすることができない場合、ＵＥは、ユニキャストを介してサービスを受信することができる。加えて、一態様では、送信モード５（ＴＭ５）などのマルチユーザＭＩＭＯ用のいくつかの送信モードは、ＵＥのグループとのマルチユーザＭＩＭＯがＴＭ５で可能になることが困難な場合があるので、ＰＴＭ送信に利用可能なダウンリンク送信モードから除外される場合がある。
【００５６】
[0079]第２の手法の一態様では、様々なサービスが様々な送信モードを利用することができるので、各ＵＥは、ｅＮＢがそれぞれのＵＥへのＰＴＭ送信を構成するために、ネットワークに送信モード可能性を報告することができる。一態様では、ＵＥが最初にＰＴＭ送信用にセットアップされたとき、ＵＥは、アプリケーションサーバ（ＡＳ）にそれぞれの送信モード可能性を報告することができ、ＡＳは報告された送信モード可能性についてｅＮＢに知らせる。たとえば、グループ内のＵＥの大多数がＴＭ７をサポートし、ＡＳに送信モード可能性としてＴＭ７を報告した場合、ＡＳは、ＵＥの大多数がＴＭ７をサポートすると決定する。その後、ＡＳはＵＥの大多数がＴＭ７をサポートすることをｅＮＢに知らせ、それにより、ｅＮＢがＰＴＭ送信にＴＭ７を利用することになる場合がある。別の態様では、ＵＥが最初にｅＮＢとの接続モードに入ると、ＵＥは、ＰＴＭ送信を介してサービスを受信することに備えて、その送信モード可能性をｅＮＢに報告することができる。ｅＮＢに送信モード可能性を報告した後、ＵＥは、アイドルモードに戻って、ＰＴＭ送信に耳を傾け、ＰＴＭ送信が送られると、ＰＴＭ送信を介してサービスを受信する。たとえば、ＵＥの大多数が送信モード可能性としてＴＭ７をｅＮＢに報告した場合、ｅＮＢは、ＰＴＭ送信にＴＭ７を利用すると決定することができる。
【００５７】
[0080]第２の手法の別の態様では、ｅＮＢは、ＵＥからの送信モードおよびチャネル品質インジケータ（ＣＱＩ）フィードバックに基づいて、ＰＴＭ送信用の高いランクを使用することができる。ｅＮＢが（たとえば、ＵＥから報告された送信モード可能性に基づいて）ＰＴＭ送信を介して特定のサービスを送信するための特定の送信モードを使用すると決定した場合、ｅＮＢは、ＵＥからのＣＱＩフィードバックを使用して、グループ送信用にランク２以上を利用するか、またはランク１以下を利用するかを決定することができる。たとえば、ｅＮＢは、ＵＥからのＣＱＩフィードバックに基づいて、高幾何形状グループ内の高幾何形状ＵＥと、低幾何形状グループ内の低幾何形状ＵＥとをグループ化し、高幾何形状グループ用のランク２／高ＭＣＳと、低幾何形状グループ用のランク１／低ＭＣＳとを使用することができる。ＵＥが接続モードにある場合、ネットワークは、どのくらいの頻度で（周期的に、たとえば１０ｍｓまたは８０ｍｓごとに１回）ＵＥからＣＱＩフィードバックが送られるべきかを決定することができる。ＵＥからのＣＱＩフィードバックは、ＵＥへのユニキャスト送信に基づく場合があり、ＰＴＭ送信に基づかない場合がある。
【００５８】
[0081]図５Ｂは、本開示の第２の手法を示す例示的な図５５０である。例示的な図５５０では、ｅＮＢ５５２は、複数のＵＥとのＰＴＭ送信を実施することが可能である。ＵＥ５６２、５６４、５６６、および５６８は同じグループ５６０内にあり、したがって、ｅＮＢ５５２からＰＴＭ送信を介して、同じサービスを受信することができる。ＵＥ５７０および５７２は同じグループ５６０内になく、したがって、ｅＮＢ５０２からＰＴＭ送信を介して、ＵＥ５６２、５６４、５６６、および５６８と同じサービスを受信しない。第２の手法では、ＵＥは、ＰＴＭ送信を介してサービスを受信することに適したダウンリンク送信モードのうちの任意の１つで構成される場合があるので、ｅＮＢ５５２は、ＵＥによってサポートされる送信モードのうちのいずれかを使用して、ＰＴＭ送信を介してサービスを送信することができる。こうして、例示的な図５５０では、ｅＮＢ５５２は、ＵＥ５６２、５６４、および５６８に、ＴＭ２を使用するＰＴＭ送信を介して特定のサービスを送信する。例示的な図５５０では、ｅＮＢ５５２は、ＵＥ５６６に、ＴＭ７を使用するユニキャスト送信を介して特定のサービスを送信する。ＵＥ５６６は特定のサービスに関連付けられたＴＭ２をサポートしないので、ＵＥ５６６は、ユニキャスト送信を介して特定のサービスを受信する。
【００５９】
[0082]同じサブフレーム内のＣ−ＲＮＴＩベースの送信および／またはＧ−ＲＮＴＩベースの送信をサポートすることについて、様々な態様が記載される。第１の方法によれば、ＵＥは、同じサブフレーム内の同じキャリア上のＣ−ＲＮＴＩベースのＰＤＳＣＨまたはＧ−ＲＮＴＩベースのＰＤＳＣＨのいずれかをサポートすることができるが、同じサブフレーム内のＣ−ＲＮＴＩベースのＰＤＳＣＨとＧ−ＲＮＴＩベースのＰＤＳＣＨの両方をサポートすることはできない。したがって、第１の方法によれば、Ｃ−ＲＮＴＩベースのＰＤＳＣＨが１つのサブフレーム内にある場合があり、Ｇ−ＲＮＴＩベースのＰＤＳＣＨが異なるサブフレーム内にある場合がある。Ｃ−ＲＮＴＩはユニキャスト送信に使用される場合があり、Ｇ−ＲＮＴＩは（たとえば、ＵＥのグループへの）ＰＴＭ送信に使用される場合がある。そのような方法は、同じサブフレーム内の同じキャリア上のＰＭＣＨとＰＤＳＣＨの両方をサポートしないことと同様である。ＵＥは、Ｇ−ＲＮＴＩ向けにスケジュールされ得る潜在的なサブフレーム（たとえば、Ｇ−ＲＮＴＩとスクランブルされたＰＤＣＣＨを潜在的に有するサブフレーム）についての情報を（たとえば、ｅＮＢによって）シグナリングされる場合がある。たとえば、ｅＮＢは、Ｇ−ＲＮＴＩ向けにスケジュールされ得る潜在的なサブフレームについての情報を含むＰＴＭ構成情報をＵＥに供給することができ、ｅＮＢは、ＭＣＣＨおよび／またはＭＳＩおよび／またはＳＩＢおよび／または専用ＲＲＣシグナリングを介してＰＴＭ構成を送ることができる。それらの潜在的なサブフレーム内で、ＵＥは、Ｇ−ＲＮＴＩベースの送信を監視し、Ｃ−ＲＮＴＩベースの送信を監視しない場合がある。したがって、ＵＥは、Ｇ−ＲＮＴＩとＣ−ＲＮＴＩの両方に対してブラインドＰＤＣＣＨ復号を実施する必要はなく、したがって、ＰＤＣＣＨブラインド復号の数における増加はない（したがって、複雑度における増加はない）。
【００６０】
[0083]第２の方法では、ＵＥは、同じサブフレーム内のＣ−ＲＮＴＩベースのＰＤＳＣＨおよびＧ−ＲＮＴＩベースのＰＤＳＣＨの同時受信をサポートすることができる。ｅＭＢＭＳでは、ユニキャスト送信およびマルチキャスト送信に異なるタイプのサイクリックプレフィックス（ＣＰ）が使用されるので、ＵＥは、同じサブフレーム内のユニキャストとマルチキャストの両方をサポートしない場合があることに留意されたい。しかしながら、（たとえば、Ｇ−ＲＮＴＩを介する）グループベアラを実装すると、グループベアラの実装により、Ｃ−ＲＮＴＩとＧ−ＲＮＴＩの両方に同じタイプのＣＰが使用され得るので、ＵＥは、ユニキャスト送信用のＣ−ＲＮＴＩと、ＰＴＭ送信用のＧ−ＲＮＴＩとを使用して、同じサブフレームを介してユニキャスト送信とＰＴＭ送信の両方をサポートすることができる。ＵＥが同じサブフレーム内のＣ−ＲＮＴＩベースのＰＤＳＣＨおよびＧ−ＲＮＴＩベースのＰＤＳＣＨの同時受信をサポートするので、ＵＥはまた、同じサブフレーム内のＣ−ＲＮＴＩとＧ−ＲＮＴＩの両方を使用してＰＤＣＣＨを復号する。
【００６１】
[0084]Ｃ−ＲＮＴＩに合うユニキャスト送信およびＧ−ＲＮＴＩに合うＰＴＭ送信に伴う合計データレートは、ＵＥ能力に整合するべきであることに留意されたい。ＵＥは、ＵＥがｅＮＢに接続したときにｅＮＢにＵＥ能力を報告することができる。ＵＥは、ｅＮＢにＭＢＭＳ関心指示メッセージを送ることができ、その結果、ｅＮＢは、ＭＢＭＳ関心指示メッセージに基づいてＰＴＭ送信を構成することができる。このように、ｅＮＢは、ＵＥ能力およびＭＢＭＳ関心指示メッセージに従って、ユニキャスト送信をスケジュールすることができる。一態様では、ＭＢＭＳ関心指示メッセージに基づいて、ｅＮＢは、ＵＥ能力とＰＴＭ送信用に設定されたデータレートとの間の差分よりも大きくならないように、ユニキャスト送信用のデータレートを設定することができる。たとえば、ＵＥがサブフレーム当たり１０００ビットを受信するＵＥ能力を有する場合、および、ＵＥがＰＴＭ送信にサブフレーム当たり６００ビットを使用するように構成された場合、ｅＮＢは、ＭＢＭＳ関心指示メッセージに基づいて、サブフレーム当たり４００ビットを超えないデータレートに、ＵＥへのユニキャスト送信用のデータレートを設定することができる。
【００６２】
[0085]通常、ＭＢＭＳ関心指示メッセージはＭＢＭＳ周波数を含むが、どの特定のサービスを受信するべきかを識別しない場合がある。たとえば、ＵＥが特定のサービスに関連付けられた具体的なＴＭＧＩを報告しない限り、ｅＮＢは、ＵＥがどの特定のサービスを受信することに関心があるかを決定することができない場合がある。ＴＭＧＩは特定のサービスを搬送するグループベアラを一意に識別することに留意されたい。ＵＥが（たとえば、ＭＢＭＳ関心指示メッセージを介して）具体的なＰＴＭサービスを示さない場合、ｅＮＢは、ＭＢＭＳ関心指示メッセージに基づいて、すべての可能なＰＴＭサービスのデータレートの中で最も大きいデータレートを考慮することによって、ユニキャスト送信用のデータレートを設定することができる。こうして、第２の方法の一態様では、ｅＮＢは、ＵＥ能力とすべての可能なＰＴＭサービスのデータレートの中で最も大きいデータレートとの間の差分よりも大きくならないように、ユニキャスト送信用のデータレートを設定することができる。たとえば、ＵＥ能力がサブフレーム当たり１０００ビットであり、すべてのＰＴＭサービスのデータレートの中で最も大きいデータレートがサブフレーム当たり６００ビットである場合、ｅＮＢは、サブフレーム当たり４００ビットより大きくならないように、ユニキャスト用のデータレートを設定することができる。こうして、ＵＥが具体的なＰＴＭサービスを示さない場合、ｅＮＢは、ＰＴＭ送信用の最大レートを考慮することによって、ユニキャスト送信用のデータレートについてワーストケースを想定することができる。
【００６３】
[0086]第２の方法では、より良いＵＥのバッテリ消費のために、ＵＥは、Ｇ−ＲＮＴＩ向けに潜在的にスケジュールされ得る潜在的なサブフレームについて（たとえば、ｅＮＢによって）シグナリングされ得る。たとえば、ｅＮＢは、Ｇ−ＲＮＴＩ向けにスケジュールされ得る潜在的なサブフレームについての情報を含むＰＴＭ構成情報をＵＥに供給することができ、ｅＮＢは、ＭＣＣＨおよび／またはＭＳＩおよび／またはＳＩＢおよび／または専用ＲＲＣシグナリングを介してＰＴＭ構成を送ることができる。その後、第２の方法の一態様によれば、ＵＥは、すべてのサブフレーム上のＧ−ＲＮＴＩベースの送信を監視するのではなく、これらの潜在的なサブフレーム上のＧ−ＲＮＴＩベースの送信を監視するように構成される場合がある。ＵＥが、すべてのサブフレーム上ではなく、潜在的なサブフレーム上のＧ−ＲＮＴＩベースの送信を監視するように構成されるので、ＵＥのバッテリ電力は節約される場合がある。ＵＥは、すべてのサブフレーム内のＣ−ＲＮＴＩベースの送信を監視するように構成される場合がある。ＵＥは、ＵＥが接続モードにないとき、Ｃ−ＲＮＴＩベースの送信を監視しない場合がある。
【００６４】
[0087]第３の方法では、ＵＥは、同じサブフレーム内のＧ−ＲＮＴＩとＣ−ＲＮＴＩの両方を監視することができるが、ＵＥが同じサブフレーム内のＧ−ＲＮＴＩ許可を検出した場合、Ｃ−ＲＮＴＩ許可を取り下げる（drop）場合がある。こうして、第３の方法では、ＵＥが同じサブフレーム内のＧ−ＲＮＴＩ許可を検出するとＣ−ＲＮＴＩ許可を取り下げるので、ＵＥは、同じサブフレーム内のＣ−ＲＮＴＩベースのＰＤＳＣＨまたはＧ−ＲＮＴＩベースのＰＤＳＣＨのいずれかをサポートすることになる。
【００６５】
[0088]上述されたように、同じサブフレーム内のＣ−ＲＮＴＩベースのＰＤＳＣＨおよびＧ−ＲＮＴＩベースのＰＤＳＣＨの同時受信は、（たとえば、第２の方法によって）サポートされる場合がある。１つのキャリア上の同じサブフレーム内のＣ−ＲＮＴＩベースの送信およびＧ−ＲＮＴＩベースの送信の同時受信に対するサポートを有するＰＤＣＣＨブラインド復号に対する影響を低減するために、様々な態様が次に記載される。ＰＤＣＣＨを復号するために、ＵＥは、いくつかの可能なフォーマットおよびＰＤＣＣＨに関連付けられた制御チャネル要素（ＣＣＥ）から、ＰＤＣＣＨをブラインド復号することができる。一態様では、Ｃ−ＲＮＴＩベースの送信およびＧ−ＲＮＴＩベースの送信が異なる送信モードを使用するとき、ＰＤＣＣＨブラインド復号の数は増大する。通常、ＵＥ固有探索空間（UE-specific search space）は、Ｃ−ＲＮＴＩまたはユニキャスト送信に関係する任意の他のＲＮＴＩに関連付けられる。こうして、通常、ＵＥ固有探索空間に関連付けられたＣＣＥは、特定のＵＥに固有の制御情報を送るために使用されるが、共通探索空間に関連付けられたＣＣＥは、すべてのＵＥに共通する制御情報を送るために使用されることに留意されたい。
【００６６】
[0089]本開示のこの態様では、ＵＥ固有探索空間はＧ−ＲＮＴＩに関連付けられる場合がある。さらに、そのような態様では、ＰＤＣＣＨブラインド復号の数における増加を制限するために、Ｇ−ＲＮＴＩに関連付けられたＰＤＣＣＨは、ある特定の制御チャネル要素（ＣＣＥ）アグリゲーションレベルに制限され得る。通常、ＵＥ固有探索空間では、ＣＣＥアグリゲーションレベル１、２、４、および８は、ＤＣＩフォーマットごとに存在する場合があり、２つのＤＣＩフォーマットは、アグリゲーションレベルごとに探索される場合がある。こうして、通常のＵＥ固有探索空間では、各ＤＣＩフォーマットは、アグリゲーションレベル１および２の各々について６回のブラインド復号、アグリゲーションレベル４および８の各々について２回のブラインド復号を伴う、１６回のブラインド復号を被る。本開示のこの態様では、たとえば、可能なＣＣＥアグリゲーションレベルは、グループ送信用のＤＣＩフォーマットごとに、レベル４およびレベル８に制限される場合がある。ＣＣＥアグリゲーションレベル４および８の各々について２回のブラインド復号が実施される場合があるので、各ＤＣＩフォーマットは、Ｇ−ＲＮＴＩとの４回のブラインド復号（レベル４についての２回のブラインド復号およびレベル８についての２回のブラインド復号）を被る。ＰＴＭ送信は多くのＵＥを対象とし、したがって、異なる幾何形状を有するＵＥをカバーするＰＴＭ送信が望ましいことに留意されたい。ＵＥは、異なる幾何形状を有するＵＥをカバーするために、ＣＣＥアグリゲーションレベル１および２を考慮することなく、ＣＣＥアグリゲーションレベル４および８を考慮することができる。別の態様では、共通探索空間はＧ−ＲＮＴＩに関連付けられる場合がある。共通探索空間（common search space）では、アグリゲーションレベル４についての４回のブラインド復号およびアグリゲーションレベル８についての２回のブラインド復号を伴う、ＣＣＥアグリゲーションレベル４および８のみが許可される。したがって、ＵＥ固有探索空間内でレベル４についての２回のブラインド復号およびレベル８についての２回のブラインド復号を実施する代わりに、共通探索空間内で、レベル４について４回のブラインド復号が実施され、レベル８について２回のブラインド復号が実施され、合計６回のブラインド復号をもたらす。ＵＥ固有探索空間内のＧ−ＲＮＴＩを有するＰＤＣＣＨは、ＤＣＩフォーマット１Ａに関連付けられる場合があることに留意されたい。共通探索空間内でＧ−ＲＮＴＩに関連付けられたＰＤＣＣＨが送られることにさらに留意されたい。
【００６７】
[0090]別の態様では、共通探索空間内のＧ−ＲＮＴＩを有するＰＤＣＣＨに関連付けられたＤＣＩフォーマット１Ａをサポートすることによって、ＰＤＣＣＨブラインド復号の数が増大しないことが実現される場合がある。特に、他のＤＣＩフォーマットをサポートしないで、共通探索空間内のＧ−ＲＮＴＩを有するＰＤＣＣＨに関連付けられたＤＣＩフォーマット１Ａをサポートすることによって、ＵＥが同じサブフレーム内のＣ−ＲＮＴＩベースのＰＤＳＣＨとＧ−ＲＮＴＩベースのＰＤＳＣＨの両方の同時受信をサポートするときでも、ＰＤＣＣＨブラインド復号の数は増大しない場合がある。すべてのＵＥにわたって共通するＤＣＩフォーマット１Ａを使用する場合、ブラインド復号は増大しない。そのような態様では、ＵＥは、ＵＥ固有探索空間内のＧ−ＲＮＴＩを有するＰＤＣＣＨに関連付けられたＤＣＩフォーマット１Ａをさらにサポートすることができる。そのような態様では、送信ダイバーシティ用の送信モード（たとえば、ＴＭ２）は、ＰＴＭ送信に好ましい場合がある。
【００６８】
[0091]別の態様では、新しいＤＣＩフォーマットを導入することによって、ＰＤＣＣＨブラインド復号の数が増大しないことが実現される場合がある。送信モードごとに、それぞれの送信モードに固有のＤＣＩフォーマットが存在する。送信モードに固有の各ＤＣＩフォーマットは、ＰＴＭ送信用の新しいＤＣＩフォーマットを指定するように修正される場合があり、新しいＤＣＩフォーマットのサイズはＤＣＩフォーマット１Ａに整合される。ＵＥは、新しいＤＣＩフォーマットが共通探索空間内でサポートされることを規定する。たとえば、ＵＥがＴＭ７内にあり、ＤＣＩフォーマット２ＤがＴＭ７に固有である場合、ＵＥは、ＤＣＩフォーマット１Ａと同じサイズを有するＤＣＩフォーマット２Ｄ’になるようにＤＣＩフォーマット２Ｄを修正することができ、ＤＣＩフォーマット２Ｄ’が共通探索空間内でサポートされることを規定する。こうして、ＵＥがＤＣＩフォーマット１Ａを探索すると、ＵＥはＤＣＩフォーマット２Ｄ’を見つけることができる。ＵＥは、新しいＤＣＩフォーマットがＵＥ固有探索空間内でサポートされることを規定することができ、ＵＥ固有探索空間はＧ−ＲＮＴＩに関連付けられたＰＤＣＣＨに関連付けられる。
【００６９】
[0092]いくつかの態様では、ＰＴＭ送信用の半永続的スケジューリング（ＳＰＳ: Semi-persistent scheduling）がサポートされる場合がある。ＰＴＭ送信は公共安全を提供することができ、ユニキャストはボイスオーバーＩＰ（ＶｏＩＰ）用のＳＰＳを使用するので、ＰＴＭ用のＳＰＳスケジューリングが望ましい場合がある。ＳＰＳのＧ−ＲＮＴＩ（および／またはＳＰＳのＣ−ＲＮＴＩ）は、ＰＴＭサービスごとにシグナリングされる場合がある。しかしながら、ＵＥがＧ−ＲＮＴＩを受信した場合、ＵＥはＳＰＳのＧ−ＲＮＴＩを受信されたＧ−ＲＮＴＩで上書きする。一態様では、ＵＥは、同じサブフレーム内のＳＰＳのＧ−ＲＮＴＩベースのＰＤＳＣＨと、Ｃ−ＲＮＴＩ／ＳＰＳのＣ−ＲＮＴＩのＰＤＳＣＨをサポートすることができる。別の態様では、ＵＥは単一のＳＰＳ構成のみをサポートすることができ、ＳＰＳのＧ−ＲＮＴＩは、Ｃ−ＲＮＴＩ／ＳＰＳのＣ−ＲＮＴＩよりも高い優先度を有する。そのような態様では、ＵＥがＳＰＳのＧ−ＲＮＴＩベースの送信を含むサブフレームについての情報をシグナリングされた場合、ＵＥは、そのようなサブフレーム内のＣ−ＲＮＴＩ／ＳＰＳのＣ−ＲＮＴＩを監視せずに、そのようなサブフレーム内のＧ−ＲＮＴＩ／ＳＰＳのＧ−ＲＮＴＩを監視する（したがって、ＰＤＣＣＨブラインド復号の数に対する影響がない）。ＳＰＳのＧ−ＲＮＴＩが送られたサブフレームに関してＵＥがシグナリングされない場合、ＵＥは、Ｇ−ＲＮＴＩ／ＳＰＳのＧ−ＲＮＴＩとＣ−ＲＮＴＩ／ＳＰＳのＣ−ＲＮＴＩの両方を有するＰＤＣＣＨを探索する。探索の結果として、ＵＥがＧ−ＲＮＴＩ／ＳＰＳのＧ−ＲＮＴＩとＣ−ＲＮＴＩ／ＳＰＳのＣ−ＲＮＴＩの両方を有するＰＤＣＣＨを見つけた場合、ＵＥはＣ−ＲＮＴＩ／ＳＰＳのＣ−ＲＮＴＩを取り下げる。
【００７０】
[0093]図６は、本開示の第１の手法による、ワイヤレス通信の方法のフローチャート６００である。方法は、ＵＥ（たとえば、ＵＥ５１２、装置７０２／７０２’）によって実施される場合がある。６０２において、ＵＥは、ネットワークから、複数のダウンリンク送信モードのうちの送信ダイバーシティダウンリンク送信モードを示すダウンリンク送信構成を受信する。６０４において、ＵＥは、ダウンリンク送信構成に従って送信ダイバーシティダウンリンク送信モードに基づいてダウンリンク通信を構成する。６０６において、ＵＥは、送信ダイバーシティ送信モードに基づいてＰＴＭダウンリンク送信を介してサービスを受信する。たとえば、上記で説明されたように、ネットワーク（たとえば、ｅＮＢ）は、ＵＥが送信ダイバーシティ用の送信モードで構成されるべきことを示す送信構成メッセージを送ることができる。たとえば、上記で説明されたように、ＵＥは、ＰＴＭ送信を受信するために、送信ダイバーシティ用の送信モードで構成される場合がある。一態様では、送信ダイバーシティダウンリンク送信モードは、ＰＤＳＣＨ用のモード２である。たとえば、上記で説明されたように、送信ダイバーシティ用のダウンリンク送信モードは、ＰＤＳＣＨ用のＴＭ２であり得る。
【００７１】
[0094]一態様では、ＵＥは、同じサブフレーム内のＣ−ＲＮＴＩに基づくＰＤＳＣＨとＧ−ＲＮＴＩに基づくＰＤＳＣＨの両方の同時受信をサポートするように構成される。たとえば、上記で説明されたように、ＵＥは、同じサブフレーム内のＣ−ＲＮＴＩベースのＰＤＳＣＨおよびＧ−ＲＮＴＩベースのＰＤＳＣＨの同時受信をサポートすることができる。一態様では、共通探索空間内のＧ−ＲＮＴＩを有するＰＤＣＣＨは、ＤＣＩフォーマット１Ａに関連付けられる。一態様では、ＵＥ固有探索空間内のＧ−ＲＮＴＩを有するＰＤＣＣＨは、ＤＣＩフォーマット１Ａに関連付けられる。たとえば、上記で説明されたように、他のＤＣＩフォーマットをサポートしないで、共通探索空間内のＧ−ＲＮＴＩを有するＰＤＣＣＨに関連付けられたＤＣＩフォーマット１Ａをサポートすることによって、ＵＥが同じサブフレーム内のＣ−ＲＮＴＩベースのＰＤＳＣＨとＧ−ＲＮＴＩベースのＰＤＳＣＨの両方の同時受信をサポートするときでも、ＰＤＣＣＨブラインド復号の数は増大しない場合がある。たとえば、上記で説明されたように、ＵＥは、ＵＥ固有探索空間内のＧ−ＲＮＴＩを有するＰＤＣＣＨに関連付けられたＤＣＩフォーマット１Ａをさらにサポートすることができる。
【００７２】
[0095]図７は、例示的な装置７０２内の様々な手段／構成要素間のデータフローを示す概念データフロー図７００である。装置はＵＥであり得る。装置は、受信構成要素７０４と、送信構成要素７０６と、通信構成構成要素７０８とを含む。
【００７３】
[0096]通信構成構成要素７０８は、７６２および７６４において、受信構成要素７０４を介して、ネットワーク（たとえば、ｅＮＢ７５０）から、複数のダウンリンク送信モードのうちの送信ダイバーシティダウンリンク送信モードを示すダウンリンク送信構成を受信する。通信構成構成要素７０８は、ダウンリンク送信構成に従って送信ダイバーシティダウンリンク送信モードに基づいてダウンリンク通信を構成する。受信構成要素７０４は、７６２において、送信ダイバーシティ送信モードに基づいてＰＴＭダウンリンク送信を介してサービスを受信する。一態様では、送信ダイバーシティダウンリンク送信モードは、ＰＤＳＣＨ用のモード２である。通信構成構成要素７０８は、７６６において、送信構成要素７０６と通信構成を通信することができ、その結果、送信構成要素７０６は、７６８において、通信構成に基づいてｅＮＢ７５０にデータを送ることができる。
【００７４】
[0097]一態様では、ＵＥは、通信構成構成要素７０８を介して、同じサブフレーム内のＣ−ＲＮＴＩに基づくＰＤＳＣＨとＧ−ＲＮＴＩに基づくＰＤＳＣＨの両方の同時受信をサポートするように構成される。一態様では、共通探索空間内のＧ−ＲＮＴＩを有するＰＤＣＣＨは、ＤＣＩフォーマット１Ａに関連付けられる。一態様では、ＵＥ固有探索空間内のＧ−ＲＮＴＩを有するＰＤＣＣＨは、ＤＣＩフォーマット１Ａに関連付けられる。
【００７５】
[0098]装置は、図６の上述されたフローチャート内のアルゴリズムのブロックの各々を実施する追加の構成要素を含む場合がある。したがって、図６の上述されたフローチャート内の各ブロックは、１つの構成要素によって実施される場合があり、装置は、それらの構成要素のうちの１つまたは複数を含む場合がある。構成要素は、述べられたプロセス／アルゴリズムを遂行するように具体的に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７６】
[0099]図８は、処理システム８１４を採用する装置７０２’のためのハードウェア実装形態の一例を示す図８００である。処理システム８１４は、バス８２４によって全体的に表される、バスアーキテクチャを用いて実装される場合がある。バス８２４は、処理システム８１４の具体的な適用例および全体的な設計制約に応じて、任意の数の相互接続バスとブリッジとを含む場合がある。バス８２４は、プロセッサ８０４によって表される１つまたは複数のプロセッサおよび／またはハードウェア構成要素と、構成要素７０４、７０６、７０８と、コンピュータ可読媒体／メモリ８０６とを含む様々な回路を互いにリンクする。バス８２４はまた、タイミングソース、周辺機器、電圧調整器、および電力管理回路などの様々な他の回路をリンクすることができるが、これらの回路は当技術分野においてよく知られており、したがって、これ以上記載されない。
【００７７】
[00100]処理システム８１４は、トランシーバ８１０に結合される場合がある。トランシーバ８１０は、１つまたは複数のアンテナ８２０に結合される。トランシーバ８１０は、送信媒体を介して様々な他の装置と通信するための手段を提供する。トランシーバ８１０は、１つまたは複数のアンテナ８２０から信号を受信し、受信された信号から情報を抽出し、抽出された情報を処理システム８１４、具体的には受信構成要素７０４に供給する。加えて、トランシーバ８１０は、処理システム８１４、具体的には送信構成要素７０６から情報を受信し、受信された情報に基づいて、１つまたは複数のアンテナ８２０に印加されるべき信号を生成する。処理システム８１４は、コンピュータ可読媒体／メモリ８０６に結合されたプロセッサ８０４を含む。プロセッサ８０４は、コンピュータ可読媒体／メモリ８０６に記憶されたソフトウェアの実行を含む、一般的な処理に関与する。ソフトウェアは、プロセッサ８０４によって実行されると、任意の特定の装置のための上述された様々な機能を処理システム８１４に実施させる。コンピュータ可読媒体／メモリ８０６は、ソフトウェアを実行するときにプロセッサ８０４によって操作されるデータを記憶するために使用される場合もある。処理システム８１４は、構成要素７０４、７０６、７０８のうちの少なくとも１つをさらに含む。それらの構成要素は、プロセッサ８０４内で動作し、コンピュータ可読媒体／メモリ８０６内に存在する／記憶されたソフトウェア構成要素、プロセッサ８０４に結合された１つもしくは複数のハードウェア構成要素、またはそれらの何らかの組合せであり得る。処理システム８１４は、ＵＥ３５０の構成要素の場合があり、メモリ３６０、ならびに／またはＴＸプロセッサ３６８、ＲＸプロセッサ３５６、およびコントローラ／プロセッサ３５９のうちの少なくとも１つを含む場合がある。
【００７８】
[00101]一構成では、ワイヤレス通信用の装置７０２／７０２’は、ネットワークから、複数のダウンリンク送信モードのうちの送信ダイバーシティダウンリンク送信モードを示すダウンリンク送信構成を受信するための手段と、ダウンリンク送信構成に従って送信ダイバーシティダウンリンク送信モードに基づいてダウンリンク通信を構成するための手段と、送信ダイバーシティ送信モードに基づいてＰＴＭダウンリンク送信を介してサービスを受信するための手段とを含む。上述された手段は、上述された手段によって列挙された機能を実施するように構成された、装置７０２、および／または装置７０２’の処理システム８１４の上述された構成要素のうちの１つまたは複数であり得る。上述されたように、処理システム８１４は、ＴＸプロセッサ３６８と、ＲＸプロセッサ３５６と、コントローラ／プロセッサ３５９とを含む場合がある。したがって、一構成では、上述された手段は、上述された手段によって列挙された機能を実施するように構成された、ＴＸプロセッサ３６８、ＲＸプロセッサ３５６、およびコントローラ／プロセッサ３５９であり得る。
【００７９】
[00102]図９は、本開示の第２の手法による、ワイヤレス通信の方法のフローチャートである。方法は、ＵＥ（たとえば、ＵＥ５６２、装置１２０２／１２０２’）によって実施される場合がある。９０２において、ＵＥは、ネットワークにＵＥのダウンリンク送信モード可能性を報告する。一態様では、報告されたダウンリンク送信モード可能性は、複数のダウンリンク送信モードのうちの１つでＰＴＭ送信を構成するために使用される。たとえば、上記で説明されたように、各ＵＥは、ｅＮＢがそれぞれのＵＥへのＰＴＭ送信を構成するために、ネットワークに送信モード可能性を報告することができる。一態様では、ダウンリンク送信モード可能性を基地局に示すように構成されたＡＳにＵＥが最初に接続したとき、ＵＥは、ＡＳにダウンリンク送信モード可能性を報告することによって、ダウンリンク送信可能性を報告することができる。たとえば、上記で説明されたように、ＵＥが最初にＰＴＭ送信用にセットアップされたとき、ＵＥは、ＡＳにそれぞれの送信モード可能性を報告することができ、ＡＳは報告された送信モード可能性についてｅＮＢに知らせる。別の態様では、ＵＥがＰＴＭ送信を受信するように決定すると、ＵＥは、基地局にダウンリンク送信モード可能性を報告するために基地局との接続モードに入ることによって、ダウンリンク送信可能性を報告することができ、ＵＥは、ダウンリンク送信モードを報告した後、アイドルモードに入ってＰＴＭ送信を受信する。たとえば、上記で説明されたように、ＵＥがＰＴＭ送信を介してｅＮＢからサービスを受信する準備ができたので、ＵＥが最初にｅＮＢとの接続モードに入ったとき、ＵＥはその送信モード可能性をｅＮＢに報告することができる。たとえば、上記で説明されたように、ｅＮＢに送信モード可能性を報告した後、ＵＥは、ＰＴＭ送信に耳を傾け、ＰＴＭ送信を介してサービスを受信するために、アイドルモードに戻る。
【００８０】
[00103]９０４において、ＵＥは、ネットワークから、複数のダウンリンク送信モードのうちの１つを示すダウンリンク送信構成を受信する。９０６において、ＵＥは、ダウンリンク送信構成に従って複数のダウンリンク送信モードのうちの１つに基づいてダウンリンク通信を構成する。９０８において、ＵＥは、サービスに合う複数のダウンリンク送信モードのうちの１つに基づいてＰＴＭ送信を介してサービスを受信する。たとえば、上記で説明されたように、ｅＮＢは、特定のサービスに利用可能なダウンリンク送信モードのうちの任意の１つを示す送信構成メッセージを送ることができ、その結果、ＵＥは、特定のサービスに利用可能な送信モードに基づいて、それに応じてダウンリンク通信を構成することができ、利用可能な送信モードに基づいて、ＰＴＭ送信を介してサービスを受信することができる。以下で、９１０に関するさらなる説明が提供される。一態様では、複数のダウンリンク送信モードは、ＰＤＳＣＨ用の送信モードである。たとえば、上記で説明されたように、ＵＥは、ＰＴＭ送信を介してサービスを受信することに適したダウンリンク送信モードのうちの任意の１つで構成される場合がある。
【００８１】
[00104]一態様では、ＵＥは、ＰＴＭ送信用のランクに基づいて、ＰＴＭ送信を介してサービスを受信する。たとえば、上記で説明されたように、ｅＮＢは、ＵＥからの送信モードおよびＣＱＩフィードバックに基づいて、ＰＴＭ送信用の高いランクを使用することができる。こうして、ＵＥは、高いランクに基づいてＰＴＭ送信を受信することができる。
【００８２】
[00105]図１０Ａは、図９のフローチャート９から展開するワイヤレス通信の方法のフローチャート１０００である。フローチャート１０００では、ＵＥは、同じサブフレーム内のＣ−ＲＮＴＩに基づくＰＤＳＣＨまたはＧ−ＲＮＴＩに基づくＰＤＳＣＨのいずれかの受信をサポートするように構成される。たとえば、上記で説明されたように、ＵＥは、同じサブフレーム内の同じキャリア上のＣ−ＲＮＴＩベースのＰＤＳＣＨまたはＧ−ＲＮＴＩベースのＰＤＳＣＨのいずれかをサポートすることができる。方法はＵＥによって実施される場合がある。９１０において、ＵＥは図９の９１０から続けることができる。
【００８３】
[00106]１００２において、ＵＥは、Ｇ−ＲＮＴＩを監視するために、Ｇ−ＲＮＴＩに利用可能なサブフレームについての情報を受信する。たとえば、上記で説明されたように、ＵＥは、Ｇ−ＲＮＴＩ向けにスケジュールされ得る潜在的なサブフレームについての情報を（たとえば、ｅＮＢによって）シグナリングされるべきであり、それらの潜在的なサブフレーム内で、ＵＥは、Ｇ−ＲＮＴＩを監視し、Ｃ−ＲＮＴＩを監視しない場合がある。
【００８４】
[00107]一態様では、Ｇ−ＲＮＴＩはＳＰＳのＧ−ＲＮＴＩである。一態様では、Ｃ−ＲＮＴＩはＳＰＳのＣ−ＲＮＴＩである。一態様では、ＵＥがＧ−ＲＮＴＩを監視されるべきサブフレームに関する情報を受信した場合、ＵＥは、Ｃ−ＲＮＴＩまたはＳＰＳのＣ−ＲＮＴＩを監視せずに、Ｇ−ＲＮＴＩまたはＳＰＳのＧ−ＲＮＴＩのうちの少なくとも１つを監視し、ＵＥがＧ−ＲＮＴＩを監視されるべきサブフレームに関する情報を受信しない場合、ＵＥは、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視する。たとえば、上記で説明されたように、ＳＰＳのＧ−ＲＮＴＩ（および／またはＳＰＳのＣ−ＲＮＴＩ）は、ＰＴＭサービスごとにシグナリングされる場合がある。たとえば、上記で説明されたように、ＵＥは、同じサブフレーム内のＳＰＳのＧ−ＲＮＴＩベースのＰＤＳＣＨと、Ｃ−ＲＮＴＩ／ＳＰＳのＣ−ＲＮＴＩのＰＤＳＣＨとをサポートすることができる。たとえば、上記で説明されたように、ＵＥがＳＰＳのＧ−ＲＮＴＩが送られるサブフレーム上でシグナリングされた場合、ＵＥは、そのようなサブフレーム内のＣ−ＲＮＴＩ／ＳＰＳのＣ−ＲＮＴＩを監視せずに、そのようなサブフレーム内のＧ−ＲＮＴＩ／ＳＰＳのＧ−ＲＮＴＩを監視する（したがって、ＵＥによって実施されるＰＤＣＣＨブラインド復号の数に対する影響がない）。たとえば、上記で説明されたように、ＳＰＳのＧ−ＲＮＴＩが送られたサブフレーム上でＵＥがシグナリングされない場合、ＵＥは、Ｇ−ＲＮＴＩ／ＳＰＳのＧ−ＲＮＴＩとＣ−ＲＮＴＩ／ＳＰＳのＣ−ＲＮＴＩの両方を有するＰＤＣＣＨを探索する。一態様では、ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視した後、Ｇ−ＲＮＴＩまたはＳＰＳのＧ−ＲＮＴＩのうちの少なくとも１つを有するＰＤＣＣＨを検出した場合、ＵＥは、サブフレーム内のＣ−ＲＮＴＩおよびＳＰＳのＣ−ＲＮＴＩを有するＰＤＣＣＨを監視することを止める。たとえば、上記で説明されたように、ＵＥがＧ−ＲＮＴＩ／ＳＰＳのＧ−ＲＮＴＩとＣ−ＲＮＴＩ／ＳＰＳのＣ−ＲＮＴＩの両方を有するＰＤＣＣＨを見つけた場合、ＵＥはＣ−ＲＮＴＩ／ＳＰＳのＣ−ＲＮＴＩを取り下げる。
【００８５】
[00108]図１０Ｂは、図９のフローチャート９００から展開するワイヤレス通信の方法のフローチャート１０５０である。フローチャート１０５０では、ＵＥは、同じサブフレーム内のＣ−ＲＮＴＩに基づくＰＤＳＣＨとＧ−ＲＮＴＩに基づくＰＤＳＣＨの両方の同時受信をサポートするように構成される。たとえば、上記で説明されたように、ＵＥは、同じサブフレーム内のＣ−ＲＮＴＩベースのＰＤＳＣＨおよびＧ−ＲＮＴＩベースのＰＤＳＣＨの同時受信をサポートすることができる。方法はＵＥによって実施される場合がある。９１０において、ＵＥは図９の９１０から続けることができる。
【００８６】
[00109]１０５２において、ＵＥは、同じサブフレーム内のＣ−ＲＮＴＩとＧ−ＲＮＴＩの両方を有するＰＤＣＣＨを復号する。たとえば、上記で説明されたように、ＵＥが同じサブフレーム内のＣ−ＲＮＴＩベースのＰＤＳＣＨおよびＧ−ＲＮＴＩベースのＰＤＳＣＨの同時受信をサポートするとき、ＵＥはまた、同じサブフレーム内のＣ−ＲＮＴＩとＧ−ＲＮＴＩの両方を有するＰＤＣＣＨを復号する。１０５４において、ＵＥは基地局にＭＢＭＳ関心指示メッセージを送る。基地局は、ＰＴＭ送信用に、ＭＢＭＳ関心指示に基づいてＣ−ＲＮＴＩに関連付けられたユニキャストデータレートを構成することができる。たとえば、上記で説明されたように、ＵＥは、ｅＮＢにＭＢＭＳ関心指示メッセージを送ることができ、その結果、ｅＮＢは、ＭＢＭＳ関心指示メッセージに基づいてＰＴＭ送信を構成することができる。一態様では、ＭＢＭＳ関心指示メッセージがサービスを示さない場合、Ｃ−ＲＮＴＩに関連付けられたユニキャストデータレートは、ＰＴＭ送信用の最大データレートに等しいように設定される。たとえば、上記で説明されたように、ＵＥが（たとえば、ＭＢＭＳ関心指示メッセージを介して）具体的なＰＴＭサービスを示さない場合、ｅＮＢは、ＭＢＭＳ関心指示メッセージに基づいて、すべての可能なＰＴＭサービスのデータレートの中で最も大きいデータレートを考慮することによって、ユニキャスト送信用のデータレートを設定することができる。一態様では、Ｇ−ＲＮＴＩはＳＰＳのＧ−ＲＮＴＩである。一態様では、Ｃ−ＲＮＴＩはＳＰＳのＣ−ＲＮＴＩである。たとえば、上記で説明されたように、ＳＰＳのＧ−ＲＮＴＩ（および／またはＳＰＳのＣ−ＲＮＴＩ）は、ＰＴＭサービスごとにシグナリングされる場合がある。
【００８７】
[00110]図１１Ａは、図９のフローチャート９００から展開するワイヤレス通信の方法のフローチャート１１００である。フローチャート１１００では、ＵＥは、同じサブフレーム内のＣ−ＲＮＴＩに基づくＰＤＳＣＨとＧ−ＲＮＴＩに基づくＰＤＳＣＨの両方の同時受信をサポートするように構成される。方法はＵＥによって実施される場合がある。９１０において、ＵＥは図９の９１０から続けることができる。
【００８８】
[00111]１１０２において、ＵＥは、Ｇ−ＲＮＴＩを有するＰＤＳＣＨの送信に利用可能なサブフレームについての情報を受信する。１１０４において、ＵＥは、Ｇ−ＲＮＴＩに利用可能なサブフレーム内のＧ−ＲＮＴＩを有するＰＤＣＣＨを監視する。１１０６において、ＵＥは、すべてのサブフレーム内のＣ−ＲＮＴＩを有するＰＤＣＣＨを監視する。たとえば、上記で説明されたように、ＵＥは、Ｇ−ＲＮＴＩ向けに潜在的にスケジュールされ得る潜在的なサブフレームについて（たとえば、ｅＮＢによって）シグナリングされることが可能であり、次いで、これらの潜在的なサブフレーム上でＧ−ＲＮＴＩを監視するように構成される場合がある。たとえば、上記で説明されたように、ＵＥは、すべてのサブフレーム上でＣ−ＲＮＴＩを監視するように構成される場合がある。
【００８９】
[00112]図１１Ｂは、図９のフローチャート９００から展開するワイヤレス通信の方法のフローチャート１１５０である。フローチャート１１５０では、ＵＥは、同じサブフレーム内のＣ−ＲＮＴＩに基づくＰＤＳＣＨとＧ−ＲＮＴＩに基づくＰＤＳＣＨの両方の同時受信をサポートするように構成される。方法はＵＥによって実施される場合がある。９１０において、ＵＥは図９の９１０から続けることができる。
【００９０】
[00113]一態様では、１１５２において、ＵＥがＧ−ＲＮＴＩを有するＰＤＣＣＨを検出した場合、ＵＥはＣ−ＲＮＴＩに関連付けられたＰＤＣＣＨを取り下げる。たとえば、上記で説明されたように、ＵＥは、同じサブフレーム内のＧ−ＲＮＴＩとＣ−ＲＮＴＩの両方を監視することができるが、ＵＥが同じサブフレーム内のＧ−ＲＮＴＩ許可を検出した場合、Ｃ−ＲＮＴＩ許可を取り下げる場合がある。
【００９１】
[00114]一態様では、Ｇ−ＲＮＴＩを有するＰＤＣＣＨはＵＥ固有探索空間内で受信され、ＵＥ固有探索空間はＧ−ＲＮＴＩに関連付けられる。そのような態様では、ＵＥ固有探索空間内で、Ｇ−ＲＮＴＩを有するＰＤＣＣＨは、あらかじめ決められたＣＣＥアグリゲーションレベルに制限される。そのような態様では、ＵＥ固有探索空間内のＧ−ＲＮＴＩを有するＰＤＣＣＨは、ＤＣＩフォーマット１Ａに関連付けられる。一態様では、共通探索空間内でＧ−ＲＮＴＩを有するＰＤＣＣＨが送られる。たとえば、上記で説明されたように、ＵＥ固有探索空間はＧ−ＲＮＴＩに関連付けられる場合がある。たとえば、上記で説明されたように、ＰＤＣＣＨブラインド復号の増加を制限するために、Ｇ−ＲＮＴＩを有するＰＤＣＣＨは、ある特定のＣＣＥアグリゲーションレベルに制限され得る。
【００９２】
[00115]一態様では、共通探索空間内のＧ−ＲＮＴＩを有するＰＤＣＣＨは、ＤＣＩフォーマット１Ａに関連付けられる。たとえば、上記で説明されたように、他のＤＣＩフォーマットをサポートしないで、共通探索空間内のＧ−ＲＮＴＩを有するＰＤＣＣＨに関連付けられたＤＣＩフォーマット１Ａをサポートすることによって、ＵＥが同じサブフレーム内のＣ−ＲＮＴＩベースのＰＤＳＣＨとＧ−ＲＮＴＩベースのＰＤＳＣＨの両方の同時受信をサポートするときでも、ＰＤＣＣＨブラインド復号の数は増大しない場合がある。
【００９３】
[00116]一態様では、ＰＴＭ送信用にＵＥによってサポートされるダウンリンク送信モードの場合、ダウンリンク送信モードによってサポートされるＤＣＩフォーマットに対応する新しいＤＣＩフォーマットが生成され、新しいＤＣＩフォーマットは、ＤＣＩフォーマット１Ａに整合されたサイズを有する。そのような態様では、新しいＤＣＩフォーマットは共通探索空間内で受信される。そのような態様では、新しいＤＣＩフォーマットはＵＥ固有探索空間内で受信され、ＵＥ固有探索空間はＧ−ＲＮＴＩに関連付けられる。たとえば、上記で説明されたように、送信モードに固有の各ＤＣＩフォーマットは、ＰＴＭ送信用の新しいＤＣＩフォーマットになるように修正される場合があり、新しいＤＣＩフォーマットのサイズはＤＣＩフォーマット１Ａに整合される。たとえば、上記で説明されたように、ＵＥは、新しいＤＣＩフォーマットが共通探索空間内でサポートされることを規定する。たとえば、上記で説明されたように、ＵＥは、新しいＤＣＩフォーマットがＵＥ固有探索空間内でサポートされることを規定することができ、ＵＥ固有探索空間はＧ−ＲＮＴＩに関連付けられたＰＤＣＣＨに関連付けられる。
【００９４】
[00117]図１２は、例示的な装置１２０２内の様々な手段／構成要素間のデータフローを示す概念データフロー図１２００である。装置はＵＥであり得る。装置は、受信構成要素１２０４と、送信構成要素１２０６と、通信構成構成要素１２０８と、送信モード可能性管理構成要素１２１０と、ＲＮＴＩ管理構成要素１２１２と、チャネル管理構成要素１２１４と、情報報告構成要素１２１６とを含む。受信構成要素１２０４は、１２６０において、送信構成要素１２０６と通信するように構成される場合がある。
【００９５】
[00118]送信モード可能性管理構成要素１２１０は、１２６２および１２６４において、送信構成要素１２０６を介して、ネットワークにＵＥのダウンリンク送信モード可能性を報告する。一態様では、報告されたダウンリンク送信モード可能性は、複数のダウンリンク送信モードのうちの１つでＰＴＭ送信を構成するために使用される。一態様では、送信モード可能性管理構成要素１２１０は、ダウンリンク送信モード可能性についてｅＮＢ１２５０に示すように構成されたＡＳにＵＥが最初に接続したとき、ＡＳにダウンリンク送信モード可能性を報告することによって、ダウンリンク送信可能性を報告することができる。別の態様では、送信モード可能性管理構成要素１２１０は、ＵＥがＰＴＭ送信を受信するように決定すると、ｅＮＢ１２５０にダウンリンク送信モード可能性を報告するためにｅＮＢ１２５０との接続モードに入ることによって、ダウンリンク送信可能性を報告することができ、ＵＥは、ダウンリンク送信モードを報告した後、アイドルモードに入ってＰＴＭ送信を受信する。
【００９６】
[00119]通信構成構成要素１２０８は、１２６６および１２６８において、受信構成要素１２０４を介して、ネットワーク（たとえば、ｅＮＢ１２５０）から、複数のダウンリンク送信モードのうちの１つを示すダウンリンク送信構成を受信する。通信構成構成要素１２０８は、ダウンリンク送信構成に従って複数のダウンリンク送信モードのうちの１つに基づいてダウンリンク通信を構成する。受信構成要素１２０４は、１２６６および１２６８において、サービスに合う複数のダウンリンク送信モードのうちの１つに基づいてＰＴＭ送信を介してサービスを受信する。一態様では、複数のダウンリンク送信モードは、ＰＤＳＣＨ用の送信モードである。一態様では、ＵＥは、ＰＴＭ送信用のランクに基づいて、ＰＴＭ送信を介してサービスを受信する。通信構成構成要素１２０８は、１２７０において、送信構成要素１２０６と通信構成を通信することができ、その結果、送信構成要素１２０６は、１２６４において、通信構成に基づいてｅＮＢ１２５０にデータを送ることができる。
【００９７】
[00120]第１の方法によれば、ＵＥは、同じサブフレーム内のＣ−ＲＮＴＩに基づくＰＤＳＣＨまたはＧ−ＲＮＴＩに基づくＰＤＳＣＨのいずれかの受信をサポートするように構成される。ＲＮＴＩ管理構成要素１２１２は、１２６６および１２７２において、受信構成要素１２０４を介して、Ｇ−ＲＮＴＩを監視するために、Ｇ−ＲＮＴＩに利用可能なサブフレームについての情報を受信する。
【００９８】
[00121]一態様では、Ｇ−ＲＮＴＩはＳＰＳのＧ−ＲＮＴＩである。一態様では、Ｃ−ＲＮＴＩはＳＰＳのＣ−ＲＮＴＩである。一態様では、ＲＮＴＩ管理構成要素１２１２がＧ−ＲＮＴＩを監視されるべきサブフレームに関する情報を受信した場合、ＲＮＴＩ管理構成要素１２１２は、Ｃ−ＲＮＴＩまたはＳＰＳのＣ−ＲＮＴＩを監視せずに、Ｇ−ＲＮＴＩまたはＳＰＳのＧ−ＲＮＴＩのうちの少なくとも１つを監視し、ＲＮＴＩ管理構成要素１２１２がＧ−ＲＮＴＩを監視されるべきサブフレームに関する情報を受信しない場合、ＲＮＴＩ管理構成要素１２１２は、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視する。一態様では、ＲＮＴＩ管理構成要素１２１２が、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視した後、Ｇ−ＲＮＴＩまたはＳＰＳのＧ−ＲＮＴＩのうちの少なくとも１つを有するＰＤＣＣＨを検出した場合、ＲＮＴＩ管理構成要素１２１２は、サブフレーム内のＣ−ＲＮＴＩおよびＳＰＳのＣ−ＲＮＴＩを有するＰＤＣＣＨを監視することを止める。
【００９９】
[00122]第２の方法によれば、ＵＥは、同じサブフレーム内のＣ−ＲＮＴＩに基づくＰＤＳＣＨとＧ−ＲＮＴＩに基づくＰＤＳＣＨの両方の同時受信をサポートするように構成される。チャネル管理構成要素１２１４は、同じサブフレーム内のＣ−ＲＮＴＩとＧ−ＲＮＴＩの両方を有するＰＤＣＣＨを復号する。たとえば、チャネル管理構成要素１２１４は、１２７４において、ＲＮＴＩ管理構成要素１２１２からＣ−ＲＮＴＩとＧ−ＲＮＴＩとを受信することができ、１２６６および１２７６において、受信構成要素１２０４を介してＰＤＣＣＨを受信することができる。情報報告構成要素１２１６は、１２７８および１２６４において、送信構成要素１２０６を介して、ｅＮＢ１２５０にＭＢＭＳ関心指示メッセージを送る。ｅＮＢ１２５０は、ＰＴＭ送信用に、ＭＢＭＳ関心指示に基づいてＣ−ＲＮＴＩに関連付けられたユニキャストデータレートを構成することができる。一態様では、ＭＢＭＳ関心指示メッセージがサービスを示さない場合、Ｃ−ＲＮＴＩに関連付けられたユニキャストデータレートは、ＰＴＭ送信用の最大データレートに等しいように設定される。一態様では、Ｇ−ＲＮＴＩはＳＰＳのＧ−ＲＮＴＩである。一態様では、Ｃ−ＲＮＴＩはＳＰＳのＣ−ＲＮＴＩである。チャネル管理構成要素１２１４は、通信構成のために、１２８０において、通信構成構成要素１２０８と通信することもできる。
【０１００】
[00123]第２の方法では、ＲＮＴＩ管理構成要素１２１２は、１２６６および１２７２において、受信構成要素１２０４を介して、Ｇ−ＲＮＴＩを有するＰＤＳＣＨの送信に利用可能なサブフレームについての情報を受信する。ＲＮＴＩ管理構成要素１２１２は、Ｇ−ＲＮＴＩに利用可能なサブフレーム内のＧ−ＲＮＴＩを有するＰＤＣＣＨを監視する。ＲＮＴＩ管理構成要素１２１２ＵＥは、すべてのサブフレーム内のＣ−ＲＮＴＩを有するＰＤＣＣＨを監視する。
【０１０１】
[00124]第２の方法では、ＲＮＴＩ管理構成要素１２１２がＧ−ＲＮＴＩを有するＰＤＣＣＨを検出した場合、ＲＮＴＩ管理構成要素１２１２は、Ｃ−ＲＮＴＩに関連付けられたＰＤＣＣＨを取り下げる。
【０１０２】
[00125]一態様では、Ｇ−ＲＮＴＩを有するＰＤＣＣＨはＵＥ固有探索空間内で受信され、ＵＥ固有探索空間はＧ−ＲＮＴＩに関連付けられる。そのような態様では、ＵＥ固有探索空間内で、Ｇ−ＲＮＴＩを有するＰＤＣＣＨは、あらかじめ決められたＣＣＥアグリゲーションレベルに制限される。そのような態様では、ＵＥ固有探索空間内のＧ−ＲＮＴＩを有するＰＤＣＣＨは、ＤＣＩフォーマット１Ａに関連付けられる。一態様では、共通探索空間内でＧ−ＲＮＴＩを有するＰＤＣＣＨが送られる。一態様では、共通探索空間内のＧ−ＲＮＴＩを有するＰＤＣＣＨは、ＤＣＩフォーマット１Ａに関連付けられる。
【０１０３】
[00126]一態様では、ＰＴＭ送信用にＵＥによってサポートされるダウンリンク送信モードの場合、ダウンリンク送信モードによってサポートされるＤＣＩフォーマットに対応する新しいＤＣＩフォーマットが生成され、新しいＤＣＩフォーマットは、ＤＣＩフォーマット１Ａに整合されたサイズを有する。そのような態様では、新しいＤＣＩフォーマットは共通探索空間内で受信される。そのような態様では、新しいＤＣＩフォーマットはＵＥ固有探索空間内で受信され、ＵＥ固有探索空間はＧ−ＲＮＴＩに関連付けられる。
【０１０４】
[00127]装置は、図９〜図１１の上述されたフローチャート内のアルゴリズムのブロックの各々を実施する追加の構成要素を含む場合がある。したがって、図９〜図１１の上述されたフローチャート内の各ブロックは、１つの構成要素によって実施される場合があり、装置は、それらの構成要素のうちの１つまたは複数を含む場合がある。構成要素は、述べられたプロセス／アルゴリズムを遂行するように具体的に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１０５】
[00128]図１３は、処理システム１３１４を採用する装置１２０２’のためのハードウェア実装形態の一例を示す図１３００である。処理システム１３１４は、バス１３２４によって全体的に表される、バスアーキテクチャを用いて実装される場合がある。バス１３２４は、処理システム１３１４の具体的な適用例および全体的な設計制約に応じて、任意の数の相互接続バスとブリッジとを含む場合がある。バス１３２４は、プロセッサ１３０４によって表される１つまたは複数のプロセッサおよび／またはハードウェア構成要素と、構成要素１２０４、１２０６、１２０８、１２１０、１２１２、１２１４、１２１６と、コンピュータ可読媒体／メモリ１３０６とを含む様々な回路を互いにリンクする。バス１３２４はまた、タイミングソース、周辺機器、電圧調整器、および電力管理回路などの様々な他の回路をリンクすることができるが、これらの回路は当技術分野においてよく知られており、したがって、これ以上記載されない。
【０１０６】
[00129]処理システム１３１４は、トランシーバ１３１０に結合される場合がある。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４、具体的には受信構成要素１２０４に供給する。加えて、トランシーバ１３１０は、処理システム１３１４、具体的には送信構成要素１２０６から情報を受信し、受信された情報に基づいて、１つまたは複数のアンテナ１３２０に印加されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む、一般的な処理に関与する。ソフトウェアは、プロセッサ１３０４によって実行されると、任意の特定の装置のための上述された様々な機能を処理システム１３１４に実施させる。コンピュータ可読媒体／メモリ１３０６は、ソフトウェアを実行するときにプロセッサ１３０４によって操作されるデータを記憶するために使用される場合もある。処理システム１３１４は、構成要素１２０４、１２０６、１２０８、１２１０、１２１２、１２１４、１２１６のうちの少なくとも１つをさらに含む。それらの構成要素は、プロセッサ１３０４内で動作し、コンピュータ可読媒体／メモリ１３０６内に存在する／記憶されたソフトウェア構成要素、プロセッサ１３０４に結合された１つもしくは複数のハードウェア構成要素、またはそれらの何らかの組合せであり得る。処理システム１３１４は、ＵＥ３５０の構成要素の場合があり、メモリ３６０、ならびに／またはＴＸプロセッサ３６８、ＲＸプロセッサ３５６、およびコントローラ／プロセッサ３５９のうちの少なくとも１つを含む場合がある。
【０１０７】
[00130]一構成では、ワイヤレス通信用の装置１２０２／１２０２’は、ネットワークから、複数のダウンリンク送信モードのうちの１つを示すダウンリンク送信構成を受信するための手段と、ダウンリンク送信構成に従って複数のダウンリンク送信モードのうちの１つに基づいてダウンリンク通信を構成するための手段と、サービスに合う複数のダウンリンク送信モードのうちの１つに基づいてＰＴＭ送信を介してサービスを受信するための手段とを含む。装置１２０２／１２０２’は、ネットワークにＵＥのダウンリンク送信モード可能性を報告するための手段をさらに含み、報告されたダウンリンク送信モード可能性により、ネットワークが報告されたダウンリンク送信モード可能性に基づいて複数のダウンリンク送信モードのうちの１つでＰＴＭ送信を構成することが可能になる。装置１２０２／１２０２’は、Ｇ−ＲＮＴＩを監視するために、Ｇ−ＲＮＴＩに利用可能なサブフレームについての情報を受信するための手段をさらに含む。装置１２０２／１２０２’は、同じサブフレーム内のＣ−ＲＮＴＩとＧ−ＲＮＴＩの両方を有するＰＤＣＣＨを復号するための手段をさらに含む。装置１２０２／１２０２’は、基地局にＭＢＭＳ関心指示メッセージを送るための手段をさらに含む。装置１２０２／１２０２’は、Ｇ−ＲＮＴＩを有するＰＤＳＣＨの送信に利用可能なサブフレームについての情報を受信するための手段と、Ｇ−ＲＮＴＩに利用可能なサブフレーム内のＧ−ＲＮＴＩを有するＰＤＣＣＨを監視するための手段と、すべてのサブフレーム内のＣ−ＲＮＴＩを有するＰＤＣＣＨを監視するための手段とをさらに含む。装置１２０２／１２０２’は、ＵＥがＧ−ＲＮＴＩを有するＰＤＣＣＨを検出した場合、Ｃ−ＲＮＴＩに関連付けられたＰＤＣＣＨを取り下げるための手段をさらに含む。
【０１０８】
[00131]上述された手段は、上述された手段によって列挙された機能を実施するように構成された、装置１２０２、および／または装置１２０２’の処理システム１３１４の上述された構成要素のうちの１つまたは複数であり得る。上述されたように、処理システム１３１４は、ＴＸプロセッサ３６８と、ＲＸプロセッサ３５６と、コントローラ／プロセッサ３５９とを含む場合がある。したがって、一構成では、上述された手段は、上述された手段によって列挙された機能を実施するように構成された、ＴＸプロセッサ３６８、ＲＸプロセッサ３５６、およびコントローラ／プロセッサ３５９であり得る。
【０１０９】
[00132]図１４Ａは、本開示の一態様による、ワイヤレス通信の方法のフローチャート１４００である。方法は、ｅＮＢ（たとえば、ｅＮＢ５０２またはｅＮＢ５５２、装置１６０２／１６０２’）によって実施される場合がある。１４０２において、ｅＮＢは、ＵＥからＵＥのダウンリンク送信モード可能性を受信する。一態様では、ダウンリンク送信モード可能性により、ｅＮＢが受信されたダウンリンク送信モード可能性に基づいて複数のダウンリンク送信モードのうちの１つでＰＴＭ送信を構成することが可能になる。たとえば、上記で説明されたように、各ＵＥは、ｅＮＢがそれぞれのＵＥへのＰＴＭ送信を構成するために、ネットワークに送信モード可能性を報告することができる。一態様では、ｅＮＢは、ダウンリンク送信モード可能性についてのＡＳからの指示を受信することによって、ダウンリンク送信モード可能性を受信し、ダウンリンク送信モード可能性は、ＵＥが最初にＡＳに接続したときにＡＳに報告される。たとえば、上記で説明されたように、ＵＥが最初にＰＴＭ送信用にセットアップされたとき、ＵＥは、ＡＳにそれぞれの送信モード可能性を報告することができ、ＡＳは報告された送信モード可能性についてｅＮＢに知らせる。別の態様では、ＵＥがＰＴＭ送信を受信するように決定すると、ＵＥがｅＮＢとの接続モードに入った後、ｅＮＢは、ＵＥからダウンリンク送信モード可能性を受信することによって、ダウンリンク送信モード可能性を受信し、ｅＮＢがダウンリンク送信モード可能性を受信した後、ＵＥがアイドルモードに入ったとき、ｅＮＢは、ＵＥにＰＴＭ送信を送るように構成される。たとえば、上記で説明されたように、ＵＥがＰＴＭ送信を介してｅＮＢからサービスを受信する準備ができたので、ＵＥが最初にｅＮＢとの接続モードに入ったとき、ＵＥはその送信モード可能性をｅＮＢに報告することができる。たとえば、上記で説明されたように、ｅＮＢに送信モード可能性を報告した後、ＵＥは、ＰＴＭ送信に耳を傾け、ＰＴＭ送信を介してサービスを受信するために、アイドルモードに戻る。
【０１１０】
[00133]１４０４において、ｅＮＢは、ＰＴＭ送信を介するサービスのために複数のダウンリンク送信モードのうちの１つを決定する。１４０６において、ｅＮＢは、サービスに合う複数のダウンリンク送信モードのうちの１つに基づいて、ＰＴＭ送信を介して、ユーザ機器（ＵＥ）にサービスを送信する。一態様では、複数のダウンリンク送信モードは、物理ダウンリンク共有チャネル（ＰＤＳＣＨ）用の送信モードである。以下で、１４０８に関するさらなる説明が提供される。たとえば、上記で説明されたように、ＵＥは、ＰＴＭ送信を介してサービスを受信することに適したダウンリンク送信モードのうちの任意の１つで構成される場合がある。
【０１１１】
[00134]図１４Ｂは、図１４Ａのフローチャート１４００から展開するワイヤレス通信の方法のフローチャート１４５０である。方法はｅＮＢによって実施される場合がある。１４０８において、ｅＮＢは図１４Ａの１４０８から続けることができる。１４５２において、ｅＮＢはＵＥからＣＱＩを受信する。１４５４において、ｅＮＢは、受信されたダウンリンク送信モード可能性およびＣＱＩに基づいて、ＰＴＭ送信用のランクを決定し、ＰＴＭ送信はランクに基づく。たとえば、上記で説明されたように、ｅＮＢは、ＵＥからの送信モードおよびＣＱＩフィードバックに基づいて、ＰＴＭ送信用の高いランクを使用することができる。
【０１１２】
[00135]図１５Ａは、図１４Ａのフローチャート１４００から展開するワイヤレス通信の方法のフローチャート１５００である。方法はｅＮＢによって実施される場合がある。１４０８において、ｅＮＢは図１４Ａの１４０８から続けることができる。フローチャート１５００では、ｅＮＢは、Ｃ−ＲＮＴＩに基づくＰＤＳＣＨまたはＧ−ＲＮＴＩに基づくＰＤＳＣＨのいずれかを利用して、ＵＥと通信する。たとえば、上記で説明されたように、ＵＥは、同じサブフレーム内の同じキャリア上のＣ−ＲＮＴＩベースのＰＤＳＣＨまたはＧ−ＲＮＴＩベースのＰＤＳＣＨのいずれかをサポートすることができる。１５０２において、ｅＮＢは、ＵＥにＧ−ＲＮＴＩを監視されるべきサブフレームに関する情報を送る。たとえば、上記で説明されたように、ＵＥは、Ｇ−ＲＮＴＩ向けにスケジュールされ得る潜在的なサブフレームについての情報を（たとえば、ｅＮＢによって）シグナリングされるべきであり、それらの潜在的なサブフレーム内で、ＵＥは、Ｇ−ＲＮＴＩを監視し、Ｃ−ＲＮＴＩを監視しない場合がある。
【０１１３】
[00136]図１５Ｂは、図１４Ａのフローチャート１４００から展開するワイヤレス通信の方法のフローチャート１５５０である。方法はｅＮＢによって実施される場合がある。１４０８において、ｅＮＢは図１４Ａの１４０８から続けることができる。フローチャート１５５０では、ｅＮＢは、Ｃ−ＲＮＴＩに基づくＰＤＳＣＨとＧ−ＲＮＴＩに基づくＰＤＳＣＨの両方を利用して、ＵＥと通信する。たとえば、上記で説明されたように、ＵＥは、同じサブフレーム内のＣ−ＲＮＴＩベースのＰＤＳＣＨおよびＧ−ＲＮＴＩベースのＰＤＳＣＨの同時受信をサポートすることができる。１５５２において、ｅＮＢは、ＵＥからＭＢＭＳ関心指示メッセージを受信する。１５５４において、ｅＮＢは、ＰＴＭ送信用に、ＭＢＭＳ関心指示に基づいてＣ−ＲＮＴＩに関連付けられたユニキャストデータレートを構成する。たとえば、上記で説明されたように、ＵＥは、ｅＮＢにＭＢＭＳ関心指示メッセージを送ることができ、その結果、ｅＮＢは、ＭＢＭＳ関心指示メッセージに基づいてＰＴＭ送信を構成することができる。１５５６において、ｅＮＢは、受信されたＭＢＭＳ関心指示メッセージがサービスを示さない場合、ＰＴＭ送信用の最大データレートに等しいように、Ｃ−ＲＮＴＩに関連付けられたユニキャストデータレートを設定する。たとえば、上記で説明されたように、ＵＥは（たとえば、ＭＢＭＳ関心指示メッセージを介して）具体的なＰＴＭサービスを示さず、ｅＮＢは、ＭＢＭＳ関心指示メッセージに基づいて、すべての可能なＰＴＭサービスのデータレートの中で最も大きいデータレートを考慮することによって、ユニキャスト送信用のデータレートを設定することができる。
【０１１４】
[00137]一態様では、ＰＴＭ送信用にＵＥによってサポートされるダウンリンク送信モードの場合、ダウンリンク送信モードによってサポートされるＤＣＩフォーマットに対応する新しいＤＣＩフォーマットが生成され、新しいＤＣＩフォーマットは、ＤＣＩフォーマット１Ａに整合されたサイズを有する。そのような態様では、新しいＤＣＩフォーマットは共通探索空間内で送られる。そのような態様では、新しいＤＣＩフォーマットはＵＥ固有探索空間内で送られ、ＵＥ固有探索空間はＧ−ＲＮＴＩに関連付けられる。たとえば、上記で説明されたように、送信モードに固有の各ＤＣＩフォーマットは、ＰＴＭ送信用の新しいＤＣＩフォーマットになるように修正される場合があり、新しいＤＣＩフォーマットのサイズはＤＣＩフォーマット１Ａに整合される。ＵＥは、新しいＤＣＩフォーマットが共通探索空間内でサポートされることを規定する。たとえば、上記で説明されたように、ＵＥは、新しいＤＣＩフォーマットがＵＥ固有探索空間内でサポートされることを規定することができ、ＵＥ固有探索空間はＧ−ＲＮＴＩに関連付けられたＰＤＣＣＨに関連付けられる。
【０１１５】
[00138]図１６は、例示的な装置１６０２内の様々な手段／構成要素間のデータフローを示す概念データフロー図１６００である。装置はｅＮＢであり得る。装置は、受信構成要素１６０４と、送信構成要素１６０６と、送信モード可能性管理構成要素１６０８と、ＰＴＭ送信管理構成要素１６１０と、ユニキャスト管理構成要素１６１２とを含む。
【０１１６】
[00139]送信モード可能性管理構成要素１６０８は、１６６２および１６６４において、受信構成要素１６０４を介して、ＵＥ１６５０からＵＥ１６５０のダウンリンク送信モード可能性を受信する。一態様では、ダウンリンク送信モード可能性により、ｅＮＢが報告されたダウンリンク送信モード可能性に基づいて複数のダウンリンク送信モードのうちの１つでＰＴＭ送信を構成することが可能になる。一態様では、ｅＮＢ（たとえば、送信モード可能性管理構成要素１６０８）は、ダウンリンク送信モード可能性についてのＡＳからの指示を受信することによって、ダウンリンク送信モード可能性を受信し、ダウンリンク送信モード可能性は、ＵＥ１６５０が最初にＡＳに接続したときにＡＳに報告される。別の態様では、ＵＥ１６５０がＰＴＭ送信を受信するように決定すると、ＵＥがｅＮＢとの接続モードに入った後、ｅＮＢ（たとえば、送信モード可能性管理構成要素１６０８）は、ＵＥ１６５０からダウンリンク送信モード可能性を受信することによって、ダウンリンク送信モード可能性を受信し、ｅＮＢがダウンリンク送信モード可能性を受信した後、ＵＥ１６５０がアイドルモードに入ったとき、ｅＮＢは、ＵＥ１６５０にＰＴＭ送信を送るように構成される。
【０１１７】
[00140]送信モード可能性管理構成要素１６０８は、ＰＴＭ送信を介するサービスのために複数のダウンリンク送信モードのうちの１つを決定する。ＰＴＭ送信管理構成要素１６１０は、１６６６および１６６８において、サービスに合う複数のダウンリンク送信モードのうちの１つに基づいて、（たとえば、送信構成要素１６０６を使用して）ＰＴＭ送信を介してＵＥ１６５０にサービスを送信する。一態様では、複数のダウンリンク送信モードは、ＰＤＳＣＨ用の送信モードである。
【０１１８】
[00141]ＰＴＭ送信管理構成要素１６１０は、１６６２および１６７０において、受信構成要素１６０４を介して、ＵＥ１６５０からＣＱＩを受信する。ＰＴＭ送信管理構成要素１６１０は、受信されたダウンリンク送信モード可能性およびＣＱＩに基づいて、ＰＴＭ送信用のランクを決定し、ＰＴＭ送信はランクに基づく。ＰＴＭ送信管理構成要素１６１０は、ＵＥ１６５０へのＰＴＭ送信を管理するために、１６７２において、送信構成要素１６０６にそのような情報を通信することができる。
【０１１９】
[00142]第１の方法では、ｅＮＢは、サブフレーム内のＣ−ＲＮＴＩに基づくＰＤＳＣＨまたはＧ−ＲＮＴＩに基づくＰＤＳＣＨのいずれかを利用して、ＵＥ１６５０と通信する。ｅＮＢは、ＵＥにＧ−ＲＮＴＩを監視されるべきサブフレームに関する情報を送る。
【０１２０】
[00143]第２の方法では、ｅＮＢは、Ｃ−ＲＮＴＩに基づくＰＤＳＣＨとＧ−ＲＮＴＩに基づくＰＤＳＣＨの両方を利用して、ＵＥ１６５０とサブフレーム内で通信する。ユニキャスト管理構成要素１６１２は、１６６２および１６７４において、ＵＥ１６５０からＭＢＭＳ関心指示メッセージを受信する。ユニキャスト管理構成要素１６１２は、ＰＴＭ送信用に、ＭＢＭＳ関心指示に基づいてＣ−ＲＮＴＩに関連付けられたユニキャストデータレートを構成する。ユニキャスト管理構成要素１６１２は、受信されたＭＢＭＳ関心指示メッセージがサービスを示さない場合、ＰＴＭ送信用の最大データレートに等しいように、Ｃ−ＲＮＴＩに関連付けられたユニキャストデータレートを設定する。ユニキャスト管理構成要素１６１２は、ユニキャストデータレートを設定するために、１６７６において、ＰＴＭ送信管理構成要素１６１０と通信することができる。ユニキャスト管理構成要素１６１２は、ＵＥ１６５０へのユニキャスト送信を管理するために、１６７８において、送信構成要素１６０６にユニキャストレートを通信することができる。
【０１２１】
[00144]一態様では、ＰＴＭ用にＵＥ１６５０によってサポートされるダウンリンク送信モードの場合、ダウンリンク送信モードによってサポートされるＤＣＩフォーマットに対応する新しいＤＣＩフォーマットが生成され、新しいＤＣＩフォーマットは、ＤＣＩフォーマット１Ａに整合されたサイズを有する。そのような態様では、新しいＤＣＩフォーマットは共通探索空間内で送られる。そのような態様では、新しいＤＣＩフォーマットはＵＥ固有探索空間内で送られ、ＵＥ固有探索空間はＧ−ＲＮＴＩに関連付けられる。
【０１２２】
[00145]装置は、図１４および図１５の上述されたフローチャート内のアルゴリズムのブロックの各々を実施する追加の構成要素を含む場合がある。したがって、図１４および図１５の上述されたフローチャート内の各ブロックは、１つの構成要素によって実施される場合があり、装置は、それらの構成要素のうちの１つまたは複数を含む場合がある。構成要素は、述べられたプロセス／アルゴリズムを遂行するように具体的に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１２３】
[00146]図１７は、処理システム１７１４を採用する装置１６０２’のためのハードウェア実装形態の一例を示す図１７００である。処理システム１７１４は、バス１７２４によって全体的に表される、バスアーキテクチャを用いて実装される場合がある。バス１７２４は、処理システム１７１４の具体的な適用例および全体的な設計制約に応じて、任意の数の相互接続バスとブリッジとを含む場合がある。バス１７２４は、プロセッサ１７０４によって表される１つまたは複数のプロセッサおよび／またはハードウェア構成要素と、構成要素１６０４、１６０６、１６０８、１６１０、１６１２と、コンピュータ可読媒体／メモリ１７０６とを含む様々な回路を互いにリンクする。バス１７２４はまた、タイミングソース、周辺機器、電圧調整器、および電力管理回路などの様々な他の回路をリンクすることができるが、これらの回路は当技術分野においてよく知られており、したがって、これ以上記載されない。
【０１２４】
[00147]処理システム１７１４は、トランシーバ１７１０に結合される場合がある。トランシーバ１７１０は、１つまたは複数のアンテナ１７２０に結合される。トランシーバ１７１０は、送信媒体を介して様々な他の装置と通信するための手段を提供する。トランシーバ１７１０は、１つまたは複数のアンテナ１７２０から信号を受信し、受信された信号から情報を抽出し、抽出された情報を処理システム１７１４、具体的には受信構成要素１６０４に供給する。加えて、トランシーバ１７１０は、処理システム１７１４、具体的には送信構成要素１６０６から情報を受信し、受信された情報に基づいて、１つまたは複数のアンテナ１７２０に印加されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む、一般的な処理に関与する。ソフトウェアは、プロセッサ１７０４によって実行されると、任意の特定の装置のための上述された様々な機能を処理システム１７１４に実施させる。コンピュータ可読媒体／メモリ１７０６は、ソフトウェアを実行するときにプロセッサ１７０４によって操作されるデータを記憶するために使用される場合もある。処理システム１７１４は、構成要素１６０４、１６０６、１６０８、１６１０、１６１２のうちの少なくとも１つをさらに含む。それらの構成要素は、プロセッサ１７０４内で動作し、コンピュータ可読媒体／メモリ１７０６内に存在する／記憶されたソフトウェア構成要素、プロセッサ１７０４に結合された１つもしくは複数のハードウェア構成要素、またはそれらの何らかの組合せであり得る。処理システム１７１４は、ｅＮＢ３１０の構成要素の場合があり、メモリ３７６、ならびに／またはＴＸプロセッサ３１６、ＲＸプロセッサ３７０、およびコントローラ／プロセッサ３７５のうちの少なくとも１つを含む場合がある。
【０１２５】
[00148]一構成では、ワイヤレス通信用の装置１６０２／１６０２’は、ＰＴＭ送信を介するサービスのために複数のダウンリンク送信モードのうちの１つを決定するための手段と、サービスに合う複数のダウンリンク送信モードのうちの１つに基づいてＰＴＭ送信を介してＵＥ（たとえば、ＵＥ１６５０）にサービスを送信するための手段とを含む。装置１６０２／１６０２’は、ＵＥからＵＥのダウンリンク送信モード可能性を受信するための手段をさらに含み、ダウンリンク送信モード可能性により、基地局が受信されたダウンリンク送信モード可能性に基づいて複数のダウンリンク送信モードのうちの１つでＰＴＭ送信を構成することが可能になる。装置１６０２／１６０２’は、ＵＥからＣＱＩを受信するための手段と、受信されたダウンリンク送信モード可能性およびＣＱＩに基づいてＰＴＭ送信用のランクを決定するための手段とをさらに含み、ＰＴＭ送信はランクに基づく。装置１６０２／１６０２’は、ＵＥにＧ−ＲＮＴＩを監視されるべきサブフレームに関する情報を送るための手段をさらに含む。装置１６０２／１６０２’は、ＵＥからＭＢＭＳ関心指示メッセージを受信するための手段と、ＰＴＭ送信用にＭＢＭＳ関心指示に基づいてＣ−ＲＮＴＩに関連付けられたユニキャストデータレートを構成するための手段とをさらに含む。装置１６０２／１６０２’は、受信されたＭＢＭＳ関心指示メッセージがサービスを示さない場合、ＰＴＭ送信用の最大データレートに等しいように、Ｃ−ＲＮＴＩに関連付けられたユニキャストデータレートを設定するための手段をさらに含む。
【０１２６】
[00149]上述された手段は、上述された手段によって列挙された機能を実施するように構成された、装置１６０２、および／または装置１６０２’の処理システム１７１４の上述された構成要素のうちの１つまたは複数であり得る。上述されたように、処理システム１７１４は、ＴＸプロセッサ３１６と、ＲＸプロセッサ３７０と、コントローラ／プロセッサ３７５とを含む場合がある。したがって、一構成では、上述された手段は、上述された手段によって列挙された機能を実施するように構成された、ＴＸプロセッサ３１６、ＲＸプロセッサ３７０、およびコントローラ／プロセッサ３７５であり得る。
【０１２７】
[00150]開示されたプロセス／フローチャートにおけるブロックの特定の順序または階層は、例示的な手法の一例であることを理解されたい。設計選好に基づいて、プロセス／フローチャートにおけるブロックの特定の順序または階層は、並べ替えられる場合があることを理解されたい。さらに、いくつかのブロックは組み合わせられるか、または省略される場合がある。添付の方法クレームは、様々なブロックの要素を例示的な順序で提示し、提示された特定の順序または階層に限定されるものではない。
【０１２８】
[00151]これまでの説明は、当業者が本明細書に記載された様々な態様を実践することを可能にするために提供される。これらの態様への様々な修正は当業者には容易に明らかであり、本明細書において規定された一般的な原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書において、「例、事例、または例示の働きをすること」を意味するために使用される。「例示的」として本明細書に記載されたいかなる態様も、必ずしも他の態様よりも好ましいか、または有利であると解釈されるべきではない。別段に明記されていない限り、「いくつか」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含む場合がある。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、ならびに「Ａ、Ｂ、Ｃ、またはそれらの任意の組合せ」は、Ａのみ、Ｂのみ、Ｃのみ、ＡおよびＢ、ＡおよびＣ、ＢおよびＣ、またはＡおよびＢおよびＣの場合があり、任意のそのような組合せは、Ａ、Ｂ、またはＣのうちの１つまたは複数のメンバを含む場合がある。当業者には既知であるか、または後で既知になる、本開示全体にわたって記載された様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。「モジュール」、「機構」、「要素」、「デバイス」などの単語は、「手段」という単語の代替ではない場合がある。したがって、いかなるクレーム要素も、その要素が「のための手段」という句を使用して明確に列挙されていない限り、ミーンズプラスファンクションとして解釈されるべきではない。
以下に、本願の出願当初の特許請求の範囲に記載された発明を付記する。
［Ｃ１］
ユーザ機器（ＵＥ）によって実施されるワイヤレス通信の方法であって、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することとを備える、方法。
［Ｃ２］
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づく物理ダウンリンク共有チャネル（ＰＤＳＣＨ）の両方の同時受信をサポートするように構成される、Ｃ１に記載の方法。
［Ｃ３］
共通探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ２に記載の方法。
［Ｃ４］
ＵＥ固有探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ２に記載の方法。
［Ｃ５］
ユーザ機器（ＵＥ）によって実施されるワイヤレス通信の方法であって、
ネットワークから、複数のダウンリンク送信モードのうちの１つを示すダウンリンク送信構成を受信することと、
前記ダウンリンク送信構成に従って前記複数のダウンリンク送信モードのうちの前記１つに基づいてダウンリンク通信を構成することと、
サービスに合う前記複数のダウンリンク送信モードのうちの前記１つに基づいてポイントツーマルチプル（ＰＴＭ）送信を介して前記サービスを受信することとを備える、方法。
［Ｃ６］
ネットワークに前記ＵＥのダウンリンク送信モード可能性を報告することをさらに備え、前記報告されたダウンリンク送信モード可能性が、前記複数のダウンリンク送信モードのうちの１つで前記ＰＴＭ送信を構成するために使用される、Ｃ５に記載の方法。
［Ｃ７］
前記ダウンリンク送信モード可能性を前記報告することが、
前記ダウンリンク送信モード可能性を前記ネットワークに示すように構成されたアプリケーションサーバ（ＡＳ）に前記ＵＥが最初に接続したとき、前記ＡＳに前記ダウンリンク送信モード可能性を報告することを含む、Ｃ６に記載の方法。
［Ｃ８］
前記ダウンリンク送信モード可能性を前記報告することが、
前記ＵＥが前記ＰＴＭ送信を受信するように決定すると、前記基地局に前記ダウンリンク送信モード可能性を報告するために基地局との接続モードに入ることを含み、
前記ＵＥが、前記ダウンリンク送信モード可能性を報告した後、アイドルモードに入って前記ＰＴＭ送信を受信する、Ｃ６に記載の方法。
［Ｃ９］
前記ＵＥが、ＰＴＭ送信用のランクに基づいて、前記ＰＴＭ送信を介して前記サービスを受信する、Ｃ６に記載の方法。
［Ｃ１０］
前記ＵＥが、同じサブフレーム内のセル無線ネットワーク一時識別子（Ｃ−ＲＮＴＩ）に基づく物理ダウンリンク共有チャネル（ＰＤＳＣＨ）またはグループ無線ネットワーク一時識別子（Ｇ−ＲＮＴＩ）に基づくＰＤＳＣＨのいずれかの受信をサポートするように構成される、Ｃ５に記載の方法。
［Ｃ１１］
前記Ｇ−ＲＮＴＩを監視するために、前記Ｇ−ＲＮＴＩに利用可能なサブフレームについての情報を受信することをさらに備える、Ｃ１０に記載の方法。
［Ｃ１２］
前記Ｇ−ＲＮＴＩが半永続的スケジューリング（ＳＰＳ）のＧ−ＲＮＴＩであり、前記Ｃ−ＲＮＴＩが半永続的スケジューリング（ＳＰＳ）のＣ−ＲＮＴＩである、Ｃ１０に記載の方法。
［Ｃ１３］
前記ＵＥが前記Ｇ−ＲＮＴＩを監視されるべき前記サブフレームに関する情報を受信した場合、前記ＵＥが、Ｃ−ＲＮＴＩまたはＳＰＳのＣ−ＲＮＴＩを監視せずに、Ｇ−ＲＮＴＩまたは半永続的スケジューリング（ＳＰＳ）のＧ−ＲＮＴＩのうちの少なくとも１つを監視し、前記ＵＥが前記Ｇ−ＲＮＴＩを監視されるべき前記サブフレームに関する情報を受信しない場合、前記ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視する、Ｃ１０に記載の方法。
［Ｃ１４］
前記ＵＥが、Ｇ−ＲＮＴＩまたはＳＰＳのＧ−ＲＮＴＩのうちの少なくとも１つと、Ｃ−ＲＮＴＩまたはＳＰＳのＣ−ＲＮＴＩのうちの少なくとも１つとを監視した後、Ｇ−ＲＮＴＩまたはＳＰＳのＧ−ＲＮＴＩのうちの少なくとも１つを有する物理ダウンリンク制御チャネル（ＰＤＣＣＨ）を検出した場合、前記ＵＥが、前記サブフレーム内のＣ−ＲＮＴＩおよびＳＰＳのＣ−ＲＮＴＩを有するＰＤＣＣＨを監視することを止める、Ｃ１３に記載の方法。
［Ｃ１５］
前記ＵＥが、同じサブフレーム内のセル無線ネットワーク一時識別子（Ｃ−ＲＮＴＩ）に基づく物理ダウンリンク共有チャネル（ＰＤＳＣＨ）とグループ無線ネットワーク一時識別子（Ｇ−ＲＮＴＩ）に基づくＰＤＳＣＨの両方の同時受信をサポートするように構成される、Ｃ５に記載の方法。
［Ｃ１６］
前記同じサブフレーム内の前記Ｃ−ＲＮＴＩと前記Ｇ−ＲＮＴＩの両方を有する物理ダウンリンク制御チャネル（ＰＤＣＣＨ）を復号することをさらに備える、Ｃ１５に記載の方法。
［Ｃ１７］
基地局にマルチメディアブロードキャストマルチキャストサービス（ＭＢＭＳ）関心指示メッセージを送ることをさらに備える、Ｃ１５に記載の方法。
［Ｃ１８］
前記Ｇ−ＲＮＴＩを有する前記ＰＤＳＣＨの送信に利用可能なサブフレームについての情報を受信することと、
前記Ｇ−ＲＮＴＩに利用可能な前記サブフレーム内の前記Ｇ−ＲＮＴＩを有する物理ダウンリンク制御チャネル（ＰＤＣＣＨ）を監視することと、
すべてのサブフレーム内の前記Ｃ−ＲＮＴＩを有するＰＤＣＣＨを監視することとをさらに備える、Ｃ１５に記載の方法。
［Ｃ１９］
前記Ｇ−ＲＮＴＩが半永続的スケジューリング（ＳＰＳ）のＧ−ＲＮＴＩであり、前記Ｃ−ＲＮＴＩが半永続的スケジューリング（ＳＰＳ）のＣ−ＲＮＴＩである、Ｃ１５に記載の方法。
［Ｃ２０］
前記ＵＥが前記Ｇ−ＲＮＴＩを有する物理ダウンリンク制御チャネル（ＰＤＣＣＨ）を検出した場合、前記Ｃ−ＲＮＴＩに関連付けられたＰＤＣＣＨを取り下げることをさらに備える、Ｃ１５に記載の方法。
［Ｃ２１］
前記Ｇ−ＲＮＴＩを有する物理ダウンリンク制御チャネル（ＰＤＣＣＨ）がＵＥ固有探索空間内で受信され、前記ＵＥ固有探索空間が前記Ｇ−ＲＮＴＩに関連付けられる、Ｃ１５に記載の方法。
［Ｃ２２］
前記ＵＥ固有探索空間内で、前記Ｇ−ＲＮＴＩを有する前記ＰＤＣＣＨが、あらかじめ決められた制御チャネル要素（ＣＣＥ）アグリゲーションレベルに制限される、Ｃ２１に記載の方法。
［Ｃ２３］
前記ＵＥ固有探索空間内の前記Ｇ−ＲＮＴＩを有する前記ＰＤＣＣＨが、ダウンリンク制御情報（ＤＣＩ）フォーマット１Ａに関連付けられる、Ｃ２１に記載の方法。
［Ｃ２４］
前記Ｇ−ＲＮＴＩを有する前記ＰＤＣＣＨが共通探索空間内で受信される、Ｃ１５に記載の方法。
［Ｃ２５］
共通探索空間内の前記Ｇ−ＲＮＴＩを有する物理ダウンリンク制御チャネル（ＰＤＣＣＨ）が、ダウンリンク制御情報（ＤＣＩ）フォーマット１Ａに関連付けられる、Ｃ１５に記載の方法。
［Ｃ２６］
前記ＰＴＭ送信用に前記ＵＥによってサポートされるダウンリンク送信モードの場合、前記ダウンリンク送信モードによってサポートされるダウンリンク制御情報（ＤＣＩ）フォーマットに対応する新しいＤＣＩフォーマットが生成され、前記新しいＤＣＩフォーマットが、ＤＣＩフォーマット１Ａに整合されたサイズを有する、Ｃ１５に記載の方法。
［Ｃ２７］
前記新しいＤＣＩフォーマットが共通探索空間内で受信される、Ｃ２６に記載の方法。
［Ｃ２８］
前記新しいＤＣＩフォーマットがＵＥ固有探索空間内で受信され、前記ＵＥ固有探索空間が前記Ｇ−ＲＮＴＩに関連付けられる、Ｃ２６に記載の方法。
［Ｃ２９］
基地局によって実施されるワイヤレス通信の方法であって、
ポイントツーマルチプル（ＰＴＭ）送信を介するサービスのために複数のダウンリンク送信モードのうちの１つを決定することと、
サービスに合う前記複数のダウンリンク送信モードのうちの前記１つに基づいて、前記ＰＴＭ送信を介して、ユーザ機器（ＵＥ）に前記サービスを送信することとを備える、方法。
［Ｃ３０］
ワイヤレス通信のためのユーザ機器（ＵＥ）であって、
メモリと、
前記メモリに結合され、
ネットワークから、複数のダウンリンク送信モードのうちの送信ダイバーシティダウンリンク送信モードを示すダウンリンク送信構成を受信することと、
前記ダウンリンク送信構成に従って前記送信ダイバーシティダウンリンク送信モードに基づいてダウンリンク通信を構成することと、
前記送信ダイバーシティ送信モードに基づいてポイントツーマルチプル（ＰＴＭ）ダウンリンク送信を介してサービスを受信することと
を行うように構成された、少なくとも１つのプロセッサとを備える、ユーザ機器（ＵＥ）。
【図１】
0006661646.tif 000002
【図２Ａ】
0006661646.tif 000003
【図２Ｂ】
0006661646.tif 000004
【図２Ｃ】
0006661646.tif 000005
【図２Ｄ】
0006661646.tif 000006
【図３】
0006661646.tif 000007
【図４Ａ】
0006661646.tif 000008
【図４Ｂ】
0006661646.tif 000009
【図４Ｃ】
0006661646.tif 000010
【図５Ａ】
0006661646.tif 000011
【図５Ｂ】
0006661646.tif 000012
【図６】
0006661646.tif 000013
【図７】
0006661646.tif 000014
【図８】
0006661646.tif 000015
【図９】
0006661646.tif 000016
【図１０Ａ】
0006661646.tif 000017
【図１０Ｂ】
0006661646.tif 000018
【図１１Ａ】
0006661646.tif 000019
【図１１Ｂ】
0006661646.tif 000020
【図１２】
0006661646.tif 000021
【図１３】
0006661646.tif 000022
【図１４Ａ】
0006661646.tif 000023
【図１４Ｂ】
0006661646.tif 000024
【図１５Ａ】
0006661646.tif 000025
【図１５Ｂ】
0006661646.tif 000026
【図１６】
0006661646.tif 000027
【図１７】
0006661646.tif 000028